(57)【特許請求の範囲】
【請求項１】
コンテンツを再生する再生装置が実行する再生方法であって、
前記再生装置に接続された表示装置の種別を取得し、
取得された前記表示装置の種別に応じて、ＨＤＭＩ（登録商標、以下同様）（Ｈｉｇｈ−ＤｅｆｉｎｉｔｉｏｎＭｕｌｔｉｍｅｄｉａ Ｉｎｔｅｒｆａｃｅ）のバージョン、及び、ＨＤＣＰ（Ｈｉｇｈ−ｂａｎｄｗｉｄｔｈＤｉｇｉｔａｌ Ｃｏｎｔｅｎｔ Ｐｒｏｔｅｃｔｉｏｎ）のバージョンのそれぞれを選択し、
記録媒体に記録されたコンテンツの映像信号を取得し、
取得された前記映像信号をデコードし、
デコードされた前記映像信号を、選択されたバージョンのＨＤＣＰを用いて暗号化し、かつ、選択されたバージョンのＨＤＭＩを用いて前記表示装置に出力し、
前記表示装置の種別は、
解像度が第１解像度であり、かつ、第１輝度範囲に対応した表示装置を示す第１種別と、
解像度が第２解像度であり、かつ、前記第１輝度範囲に対応した表示装置を示す第２種別と、
解像度が前記第１解像度であり、かつ、第２輝度範囲に対応した表示装置を示す第３種別と、
解像度が前記第２解像度であり、かつ、前記第２輝度範囲に対応した表示装置を示す第４種別の中の一つであり、
前記第２解像度は、前記第１解像度よりも画素数が多く、
前記第２輝度範囲は、前記第１輝度範囲を含み、かつピーク輝度が前記第１輝度範囲よりも大きい
再生方法。
【請求項２】
前記選択では、取得された前記表示装置の種別が前記第１種別である場合に、ＨＤＭＩ１．４、及び、ＨＤＣＰ１．４のそれぞれを選択し、
前記出力では、前記映像信号を、ＨＤＣＰ１．４を用いて暗号化し、かつ、ＨＤＭＩ１．４に対応する通信プロトコルを用いて前記表示装置に出力する
請求項１に記載の再生方法。
【請求項３】
前記再生方法は、さらに、前記映像信号を、前記表示装置の種別に応じて変換し、
前記変換では、取得された前記表示装置の種別が前記第１種別である場合、
（ａ）前記映像信号が、前記第２解像度の映像信号であって、かつ、前記第１輝度範囲の映像信号である場合、当該映像信号を前記第１解像度に変換し、
（ｂ）前記映像信号が、前記第１解像度の映像信号であって、かつ、前記第２輝度範囲の映像信号である場合、当該映像信号を前記第１輝度範囲に変換し、
（ｃ）前記映像信号が、前記第２解像度の映像信号であって、かつ、前記第２輝度範囲の映像信号である場合、当該映像信号を、前記第１解像度に変換し、かつ、前記第１輝度範囲に変換し、
前記出力では、前記変換された映像信号を、ＨＤＣＰ１．４を用いて暗号化し、かつ、ＨＤＭＩ１．４に対応する通信プロトコルを用いて前記表示装置に出力する
請求項２に記載の再生方法。
【請求項４】
前記再生方法は、さらに、
前記再生装置に接続された前記表示装置のピーク輝度を取得し、
取得された前記表示装置の種別が前記第１種別であり、かつ、取得された前記ピーク輝度が前記第１輝度範囲のピーク輝度よりも大きい場合、前記映像信号を、取得された前記ピーク輝度を有する輝度範囲に変換した後、さらに前記第１輝度範囲に変換し、
前記出力では、前記変換された映像信号を、ＨＤＣＰ１．４を用いて暗号化し、かつ、ＨＤＭＩ１．４に対応する通信プロトコルを用いて前記表示装置に出力する
請求項２に記載の再生方法。
【請求項５】
前記選択では、取得された前記表示装置の種別が前記第２種別である場合に、ＨＤＭＩ２．０、及び、ＨＤＣＰ２．２のそれぞれを選択し、
前記出力では、前記映像信号を、ＨＤＣＰ２．２を用いて暗号化し、かつ、ＨＤＭＩ２．０に対応する通信プロトコルを用いて前記表示装置に出力する
請求項１に記載の再生方法。
【請求項６】
前記再生方法は、さらに、前記映像信号を、前記表示装置の種別に応じて変換し、
前記変換では、取得された前記表示装置の種別が前記第２種別である場合、
（ａ）前記映像信号が、前記第１解像度の映像信号であって、かつ、前記第１輝度範囲の映像信号である場合、当該映像信号を前記第２解像度に変換し、
（ｂ）前記映像信号が、前記第２解像度の映像信号であって、かつ、前記第２輝度範囲の映像信号である場合、当該映像信号を前記第１輝度範囲に変換し、
（ｃ）前記映像信号が、前記第１解像度の映像信号であって、かつ、前記第２輝度範囲の映像信号である場合、当該映像信号を、前記第２解像度に変換し、かつ、前記第１輝度範囲に変換し、
前記出力では、前記変換された映像信号を、ＨＤＣＰ２．２を用いて暗号化し、かつ、ＨＤＭＩ２．０に対応する通信プロトコルを用いて前記表示装置に出力する
請求項５に記載の再生方法。
【請求項７】
前記再生方法は、さらに、
前記再生装置に接続された前記表示装置のピーク輝度を取得し、
取得された前記表示装置の種別が前記第２種別であり、かつ、取得された前記ピーク輝度が前記第１輝度範囲のピーク輝度よりも大きい場合、前記映像信号を、取得された前記ピーク輝度を有する輝度範囲に変換した後、さらに前記第１輝度範囲に変換し、
前記出力では、前記変換された映像信号を、ＨＤＣＰ２．２を用いて暗号化し、かつ、ＨＤＭＩ２．０に対応する通信プロトコルを用いて前記表示装置に出力する
請求項５に記載の再生方法。
【請求項８】
前記選択では、前記表示装置の種別が前記第３種別である場合に、ＨＤＭＩ２．１、及び、ＨＤＣＰ２．２のそれぞれを選択し、
前記出力では、取得された映像信号を、ＨＤＣＰ２．２を用いて暗号化し、かつ、ＨＤＭＩ２．１に対応する通信プロトコルを用いて前記表示装置に出力する
請求項１に記載の再生方法。
【請求項９】
前記再生方法は、さらに、前記映像信号を、前記表示装置の種別に応じて変換し、
前記変換では、取得された表示装置の種別が前記第３種別である場合、
（ａ）前記映像信号が、前記第２解像度の映像信号であって、かつ、前記第１輝度範囲の映像信号である場合、当該映像信号を前記第１解像度に変換し、
（ｂ）前記映像信号が、前記第２解像度の映像信号であって、かつ、前記第２輝度範囲の映像信号である場合、当該映像信号を前記第１解像度に変換し、
前記出力では、前記変換された映像信号を、ＨＤＣＰ２．２を用いて暗号化し、かつ、ＨＤＭＩ２．１に対応する通信プロトコルを用いて前記表示装置に出力する
請求項８に記載の再生方法。
【請求項１０】
前記選択では、取得された前記表示装置の種別が前記第４種別である場合に、ＨＤＭＩ２．１、及び、ＨＤＣＰ２．２のそれぞれを選択し、
前記出力では、取得された映像信号を、ＨＤＣＰ２．２を用いて暗号化し、かつ、ＨＤＭＩ２．１に対応する通信プロトコルを用いて前記表示装置に出力する
請求項１に記載の再生方法。
【請求項１１】
前記再生方法は、さらに、前記映像信号を、前記表示装置の種別に応じて変換し、
前記変換では、取得された前記表示装置の種別が前記第４種別である場合、
（ａ）前記映像信号が、前記第１解像度の映像信号であって、かつ、前記第１輝度範囲の映像信号である場合、当該映像信号を前記第２解像度に変換し、
（ｂ）前記映像信号が、前記第１解像度の映像信号であって、かつ、前記第２輝度範囲の映像信号である場合、当該映像信号を前記第２解像度に変換し、
前記出力では、前記変換された映像信号を、ＨＤＣＰ２．２を用いて暗号化し、かつ、ＨＤＭＩ２．１に対応する通信プロトコルを用いて前記表示装置に出力する
請求項１０に記載の再生方法。
【請求項１２】
コンテンツを再生する再生装置であって、
前記再生装置に接続された表示装置の種別を取得する第一取得部と、
取得された前記表示装置の種別に応じて、ＨＤＭＩのバージョン、及び、ＨＤＣＰのバージョンのそれぞれを選択する選択部と、
記録媒体に記録された同一のコンテンツを再生するための複数の映像信号であって、解像度及び輝度範囲の少なくとも一方が異なる複数の映像信号から、一つの映像信号を前記表示装置の種別に応じて選択し、前記記録媒体から選択された映像信号を取得する第二取得部と、
取得された前記映像信号をデコードするデコーダと、
デコードされた前記映像信号を、選択されたバージョンのＨＤＣＰを用いて暗号化し、かつ、選択されたバージョンのＨＤＭＩを用いて前記表示装置に出力する出力部とを備え、
前記表示装置の種別は、
解像度が第１解像度であり、かつ、第１輝度範囲に対応した表示装置を示す第１種別と、
解像度が第２解像度であり、かつ、前記第１輝度範囲に対応した表示装置を示す第２種別と、
解像度が前記第１解像度であり、かつ、第２輝度範囲に対応した表示装置を示す第３種別と、
解像度が前記第２解像度であり、かつ、前記第２輝度範囲に対応した表示装置を示す第４種別の中の１つであり、
前記第２解像度は、前記第１解像度よりも画素数が多く、
前記第２輝度範囲は、前記第１輝度範囲を含み、かつピーク輝度が前記第１輝度範囲よりも大きい
再生装置。
【発明の詳細な説明】
【技術分野】
【０００１】
本開示は、再生方法および再生装置に関する。
【背景技術】
【０００２】
従来、表示可能な輝度レベルを改善するための画像信号処理装置が開示されている（例えば特許文献１参照）。
【先行技術文献】
【特許文献】
【０００３】
【特許文献１】特開２００８−１６７４１８号公報
【発明の概要】
【０００４】
本開示の一態様に係る再生方法は、コンテンツを再生する再生装置が実行する再生方法であって、前記再生装置に接続された表示装置の種別を取得し、取得された前記表示装置の種別に応じて、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ／登録商標、以下同様）のバージョン、及び、ＨＤＣＰ（Ｈｉｇｈ−ｂａｎｄｗｉｄｔｈ  Ｄｉｇｉｔａｌ  Ｃｏｎｔｅｎｔ  Ｐｒｏｔｅｃｔｉｏｎ）のバージョンのそれぞれを選択し、記録媒体に記録されたコンテンツの映像信号を取得し、取得された前記映像信号をデコードし、デコードされた前記映像信号を、選択されたバージョンのＨＤＣＰを用いて暗号化し、かつ、選択されたバージョンのＨＤＭＩを用いて前記表示装置に出力する。
【０００５】
なお、これらの包括的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムまたは記録媒体の任意な組み合わせで実現されてもよい。
【図面の簡単な説明】
【０００６】
【図１】図１は、映像技術の進化について説明するための図である。
【図２】図２は、コンテンツに新たな映像表現を導入するときの、映像制作、配信方式、および表示装置の関係について説明するための図である。
【図３】図３は、ＨＤＲ導入時のマスター、配信方式、および表示装置の関係について説明するための図である。
【図４Ａ】図４Ａは、ＳＤＲＴＶ内のＳＤＲ表示処理について説明するための図である。
【図４Ｂ】図４Ｂは、ピーク輝度が３００ｎｉｔのＳＤＲＴＶ内のＳＤＲ表示処理について説明するための図である。
【図５】図５は、ＨＤＲからＳＤＲへの変換について説明するための図である。
【図６Ａ】図６Ａは、ＨＤＲディスクにＨＤＲに対応したＨＤＲ信号のみが格納されているケース１について説明するための図である。
【図６Ｂ】図６Ｂは、ＨＤＲディスクにＨＤＲに対応したＨＤＲ信号およびＳＤＲに対応したＳＤＲ信号が格納されているケース２について説明するための図である。
【図７】図７は、ＨＤＲから疑似ＨＤＲへの変換処理について説明するための図である。
【図８Ａ】図８Ａは、ＨＤＲおよびＳＤＲのそれぞれに対応したＥＯＴＦ（Ｅｌｅｃｔｒｏ−Ｏｐｔｉｃａｌ  Ｔｒａｎｓｆｅｒ  Ｆｕｎｃｔｉｏｎ）の例について示す図である。
【図８Ｂ】図８Ｂは、ＨＤＲおよびＳＤＲのそれぞれに対応した逆ＥＯＴＦの例について示す図である。
【図９】図９は、コンテンツに格納される輝度信号のコード値の決定方法、および、再生時にコード値から輝度値を復元するプロセスの説明図である。
【図１０Ａ】図１０Ａは、ＨＤＲＴＶ内で、ＨＤＲ信号を変換してＨＤＲ表示を行う表示処理の一例を示す図である。
【図１０Ｂ】図１０Ｂは、ＨＤＲ対応の再生装置とＳＤＲＴＶとを用いてＨＤＲ表示を行う表示処理の一例を示す図である。
【図１０Ｃ】図１０Ｃは、標準インターフェースを介して互いに接続したＨＤＲ対応の再生装置とＳＤＲＴＶとをＨＤＲ表示を行う表示処理の一例を示す図である。
【図１１】図１１は、実施の形態の変換装置および表示装置の構成を示すブロック図である。
【図１２】図１２は、実施の形態の変換装置および表示装置により行われる変換方法および表示方法を示すフローチャートである。
【図１３Ａ】図１３Ａは、第１輝度変換について説明するための図である。
【図１３Ｂ】図１３Ｂは、第１輝度変換の他の一例について説明するための図である。
【図１４】図１４は、第２輝度変換について説明するための図である。
【図１５】図１５は、表示設定の詳細な処理を示すフローチャートである。
【図１６】図１６は、第３輝度変換について説明するための図である。
【図１７】図１７は、ＨＤＲから疑似ＨＤＲへの変換処理について説明するための図である。
【図１８】図１８は、デュアルディスクの再生動作について説明するための図である。
【図１９】図１９は、デュアルディスクの再生動作を示すフローチャートである。
【図２０】図２０は、ＢＤの種類を示す図である。
【図２１】図２１は、ＢＤの種類をさらに詳細に示す図である。
【図２２】図２２は、ＢＤに記録されるデータ容量を示す第１の図である。
【図２３】図２３は、ＢＤに記録されるデータ容量を示す第２の図である。
【図２４】図２４は、ＢＤ及びデュアルストリームディスクの各ディスクに記録された、ビデオストリームとグラフィックストリームとの組み合わせの一例を示す図である。
【図２５】図２５は、ＢＤ及びデュアルストリームディスクの各ディスクに記録された、ビデオストリームとグラフィックストリームとの組み合わせの別の例を示す図である。
【図２６】図２６は、ＢＤ及びデュアルストリームディスクの各ディスクに記録された、ビデオストリームとグラフィックストリームとの組み合わせのさらに別の例を示す図である。
【図２７】図２７は、各種ＢＤと、各種表示装置とに対応してＢｌｕ−ｒａｙ（登録商標）機器が行う処理内容を示す模式図である。
【図２８】図２８は、２Ｋ＿ＳＤＲストリームが記録されたＢＤを、Ｂｌｕ−ｒａｙ機器で再生する場合の具体的な処理内容を示す図である。
【図２９】図２９は、２Ｋ＿ＨＤＲストリームが記録されたＢＤを、Ｂｌｕ−ｒａｙ機器で再生する場合の具体的な処理内容を示す図である。
【図３０】図３０は、４Ｋ＿ＳＤＲストリーム（４Ｋ＿ＳＤＲビデオストリーム及び２Ｋ＿ＳＤＲグラフィックストリーム）が記録されたＢＤをＢｌｕ−ｒａｙ機器で再生する場合の具体的な処理内容を示す図である。
【図３１】図３１は、４Ｋ＿ＨＤＲストリーム（４Ｋ＿ＨＤＲビデオストリーム及び２Ｋ＿ＨＤＲグラフィックストリーム）が記録されたＢＤを、Ｂｌｕ−ｒａｙ機器で再生する場合の具体的な処理内容を示す図である。
【図３２】図３２は、２Ｋ＿ＨＤＲストリームと２Ｋ＿ＳＤＲストリームとが記録されたストリームディスクを、Ｂｌｕ−ｒａｙ機器で再生する場合の具体的な処理内容を示す図である。
【図３３】図３３は、４Ｋ＿ＨＤＲストリームと４Ｋ＿ＳＤＲストリームとが記録されたストリームディスクを、Ｂｌｕ−ｒａｙ機器で再生する場合の具体的な処理内容を示す図である。
【図３４】図３４は、４Ｋ＿ＨＤＲストリームと２Ｋ＿ＳＤＲストリームとが記録されたストリームディスクを、Ｂｌｕ−ｒａｙ機器で再生する場合の具体的な処理内容を示す図である。
【図３５】図３５は、２Ｋ＿ＨＤＲストリームが記録されたＢＤを、疑似ＨＤＲ変換機能を有するＢｌｕ−ｒａｙ機器で再生する場合の具体的な処理内容を示す図である。
【図３６】図３６は、４Ｋ＿ＳＤＲストリーム（４Ｋ＿ＳＤＲビデオストリーム及び２Ｋ＿ＳＤＲグラフィックストリーム）が記録されたＢＤを、疑似ＨＤＲ変換機能を有するＢｌｕ−ｒａｙ機器で再生する場合の具体的な処理内容を示す図である。
【図３７】図３７は、２Ｋ＿ＨＤＲストリームと２Ｋ＿ＳＤＲストリームとが記録されたストリームディスクを、疑似ＨＤＲ変換機能を有するＢｌｕ−ｒａｙ機器で再生する場合の具体的な処理内容を示す図である。
【図３８】図３８は、４Ｋ＿ＨＤＲストリームと２Ｋ＿ＳＤＲストリームとが記録されたストリームディスクを、疑似ＨＤＲ変換機能を有するＢｌｕ−ｒａｙ機器で再生する場合の具体的な処理内容を示す図である。
【図３９】図３９は、グラフィックストリームの詳細構成を示す図である。
【発明を実施するための形態】
【０００７】
（本開示の基礎となった知見）
本開示の一態様に係る再生方法は、コンテンツを再生する再生装置が実行する再生方法であって、前記再生装置に接続された表示装置の種別を取得し、取得された前記表示装置の種別に応じて、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）のバージョン、及び、ＨＤＣＰ（Ｈｉｇｈ−ｂａｎｄｗｉｄｔｈ  Ｄｉｇｉｔａｌ  Ｃｏｎｔｅｎｔ  Ｐｒｏｔｅｃｔｉｏｎ）のバージョンのそれぞれを選択し、記録媒体に記録されたコンテンツの映像信号を取得し、取得された前記映像信号をデコードし、デコードされた前記映像信号を、選択されたバージョンのＨＤＣＰを用いて暗号化し、かつ、選択されたバージョンのＨＤＭＩを用いて前記表示装置に出力する。
【０００８】
これによれば、再生装置に接続される表示装置の種別に応じて適切なＨＤＭＩのバージョン及びＨＤＣＰのバージョンの選択が行われるため、表示装置に適切に映像を表示させることができる。このような再生方法は、例えば、図２７などに示される。
【０００９】
また、例えば、前記表示装置の種別は、解像度が第１解像度であり、かつ、第１輝度範囲に対応した表示装置を示す第１種別と、解像度が第２解像度であり、かつ、前記第１輝度範囲に対応した表示装置を示す第２種別と、解像度が前記第１解像度であり、かつ、第２輝度範囲に対応した表示装置を示す第３種別と、解像度が前記第２解像度であり、かつ、前記第２輝度範囲に対応した表示装置を示す第４種別の中の一つであり、前記第２解像度は、前記第１解像度よりも画素数が多く、前記第２輝度範囲は、前記第１輝度範囲を含み、かつピーク輝度が前記第１輝度範囲よりも大きくてもよい。
【００１０】
また、例えば、前記選択では、取得された前記表示装置の種別が前記第１種別である場合に、ＨＤＭＩ１．４、及び、ＨＤＣＰ１．４のそれぞれを選択し、前記出力では、前記映像信号を、ＨＤＣＰ１．４を用いて暗号化し、かつ、ＨＤＭＩ１．４に対応する通信プロトコルを用いて前記表示装置に出力してもよい。
【００１１】
また、例えば、前記再生方法は、さらに、前記映像信号を、前記表示装置の種別に応じて変換し、前記変換では、取得された前記表示装置の種別が前記第１種別である場合、（ａ）前記映像信号が、前記第２解像度の映像信号であって、かつ、前記第１輝度範囲の映像信号である場合、当該映像信号を前記第１解像度に変換し、（ｂ）前記映像信号が、前記第１解像度の映像信号であって、かつ、前記第２輝度範囲の映像信号である場合、当該映像信号を前記第１輝度範囲に変換し、（ｃ）前記映像信号が、前記第２解像度の映像信号であって、かつ、前記第２輝度範囲の映像信号である場合、当該映像信号を、前記第１解像度に変換し、かつ、前記第１輝度範囲に変換し、前記出力では、前記変換された映像信号を、ＨＤＣＰ１．４を用いて暗号化し、かつ、ＨＤＭＩ１．４に対応する通信プロトコルを用いて前記表示装置に出力してもよい。
【００１２】
また、例えば、前記再生方法は、さらに、前記再生装置に接続された前記表示装置のピーク輝度を取得し、取得された前記表示装置の種別が前記第１種別であり、かつ、取得された前記ピーク輝度が前記第１輝度範囲のピーク輝度よりも大きい場合、前記映像信号を、取得された前記ピーク輝度を有する輝度範囲に変換した後、さらに前記第１輝度範囲に変換し、前記出力では、前記変換された映像信号を、ＨＤＣＰ１．４を用いて暗号化し、かつ、ＨＤＭＩ１．４に対応する通信プロトコルを用いて前記表示装置に出力してもよい。
【００１３】
また、例えば、前記選択では、取得された前記表示装置の種別が前記第２種別である場合に、ＨＤＭＩ２．０、及び、ＨＤＣＰ２．２のそれぞれを選択し、前記出力では、前記映像信号を、ＨＤＣＰ２．２を用いて暗号化し、かつ、ＨＤＭＩ２．０に対応する通信プロトコルを用いて前記表示装置に出力してもよい。
【００１４】
また、例えば、前記再生方法は、さらに、前記映像信号を、前記表示装置の種別に応じて変換し、前記変換では、取得された前記表示装置の種別が前記第２種別である場合、（ａ）前記映像信号が、前記第１解像度の映像信号であって、かつ、前記第１輝度範囲の映像信号である場合、当該映像信号を前記第２解像度に変換し、（ｂ）前記映像信号が、前記第２解像度の映像信号であって、かつ、前記第２輝度範囲の映像信号である場合、当該映像信号を前記第１輝度範囲に変換し、（ｃ）前記映像信号が、前記第１解像度の映像信号であって、かつ、前記第２輝度範囲の映像信号である場合、当該映像信号を、前記第２解像度に変換し、かつ、前記第１輝度範囲に変換し、前記出力では、前記変換された映像信号を、ＨＤＣＰ２．２を用いて暗号化し、かつ、ＨＤＭＩ２．０に対応する通信プロトコルを用いて前記表示装置に出力してもよい。
【００１５】
また、例えば、前記再生方法は、さらに、前記再生装置に接続された前記表示装置のピーク輝度を取得し、取得された前記表示装置の種別が前記第２種別であり、かつ、取得された前記ピーク輝度が前記第１輝度範囲のピーク輝度よりも大きい場合、前記映像信号を、取得された前記ピーク輝度を有する輝度範囲に変換した後、さらに前記第１輝度範囲に変換し、前記出力では、前記変換された映像信号を、ＨＤＣＰ２．２を用いて暗号化し、かつ、ＨＤＭＩ２．０に対応する通信プロトコルを用いて前記表示装置に出力してもよい。
【００１６】
また、例えば、前記選択では、前記表示装置の種別が前記第３種別である場合に、ＨＤＭＩ２．１、及び、ＨＤＣＰ２．２のそれぞれを選択し、前記出力では、取得された映像信号を、ＨＤＣＰ２．２を用いて暗号化し、かつ、ＨＤＭＩ２．１に対応する通信プロトコルを用いて前記表示装置に出力してもよい。
【００１７】
また、例えば、前記再生方法は、さらに、前記映像信号を、前記表示装置の種別に応じて変換し、前記変換では、取得された表示装置の種別が前記第３種別である場合、（ａ）前記映像信号が、前記第２解像度の映像信号であって、かつ、前記第２輝度範囲の映像信号である場合、当該映像信号を前記第１解像度に変換し、（ｂ）前記映像信号が、前記第２解像度の映像信号であって、かつ、前記第２輝度範囲の映像信号である場合、当該映像信号を前記第１解像度に変換し、前記出力では、前記変換された映像信号を、ＨＤＣＰ２．２を用いて暗号化し、かつ、ＨＤＭＩ２．１に対応する通信プロトコルを用いて前記表示装置に出力してもよい。
【００１８】
また、例えば、前記選択では、取得された前記表示装置の種別が前記第４種別である場合に、ＨＤＭＩ２．１、及び、ＨＤＣＰ２．２のそれぞれを選択し、前記出力では、取得された映像信号を、ＨＤＣＰ２．２を用いて暗号化し、かつ、ＨＤＭＩ２．１に対応する通信プロトコルを用いて前記表示装置に出力してもよい。
【００１９】
また、例えば、前記再生方法は、さらに、前記映像信号を、前記表示装置の種別に応じて変換し、前記変換では、取得された前記表示装置の種別が前記第４種別である場合、（ａ）前記映像信号が、前記第１解像度の映像信号であって、かつ、前記第１輝度範囲の映像信号である場合、当該映像信号を前記第２解像度に変換し、（ｂ）前記映像信号が、前記第１解像度の映像信号であって、かつ、前記第２輝度範囲の映像信号である場合、当該映像信号を前記第２解像度に変換し、前記出力では、前記変換された映像信号を、ＨＤＣＰ２．２を用いて暗号化し、かつ、ＨＤＭＩ２．１に対応する通信プロトコルを用いて前記表示装置に出力してもよい。
【００２０】
また、例えば、前記記録媒体には、同一のコンテンツを再生するための複数の映像信号であって、解像度及び輝度範囲の少なくとも一方が異なる複数の映像信号が記録され、前記映像信号の取得では、取得された前記表示装置の種別に応じて前記複数の映像信号から一つの映像信号を選択し、前記記録媒体から選択された前記映像信号を取得してもよい。
【００２１】
また、例えば、前記記録媒体には、前記第１輝度範囲の第１映像信号と前記第２輝度範囲の第２映像信号とが記録され、前記映像信号の取得では、前記表示装置が対応する輝度範囲が前記第１輝度範囲である場合に、前記第１輝度範囲を有する映像信号を選択し、前記表示装置が対応する輝度範囲が前記第２輝度範囲である場合に、前記第２輝度範囲を有する映像信号を選択してもよい。
【００２２】
つまり、図３２〜図３４、及び、図３７〜図３８に示されるような再生方法によって、表示装置に適切な映像を表示させることができる。
【００２３】
また、例えば、前記記録媒体には、解像度が前記第１解像度であり、かつ、輝度範囲が前記第１輝度範囲であるビデオストリームと、解像度が前記第１解像度であり、かつ、輝度範囲が前記第１輝度範囲であるグラフィックストリームとを含む第１映像信号と、解像度が前記第１解像度であり、かつ、輝度範囲が前記第２輝度範囲であるビデオストリームと、解像度が前記第１解像度であり、かつ、輝度範囲が前記第２輝度範囲であるグラフィックストリームとを含む第２映像信号とが記録され、（ａ）取得された前記表示装置の種別が前記第１種別である場合、前記選択では、ＨＤＭＩ１．４、及び、ＨＤＣＰ１．４のそれぞれを選択し、前記映像信号の取得では、前記第１映像信号を選択し、前記記録媒体から選択された前記第１映像信号を取得し、前記デコードでは、取得された前記第１映像信号に含まれる前記ビデオストリーム及び前記グラフィックストリームのそれぞれをデコードし、デコードされた前記ビデオストリームとデコードされた前記グラフィックストリームとを合成し、前記出力では、合成された前記第１映像信号を、ＨＤＣＰ１．４を用いて暗号化し、かつ、ＨＤＭＩ１．４に対応する通信プロトコルを用いて前記表示装置に出力し、（ｂ）取得された前記表示装置の種別が前記第２種別である場合、前記選択では、ＨＤＭＩ２．０、及び、ＨＤＣＰ２．２のそれぞれを選択し、前記映像信号の取得では、前記第１映像信号を選択し、前記記録媒体から選択された前記第１映像信号を取得し、前記デコードでは、取得された前記第１映像信号に含まれる前記ビデオストリーム及び前記グラフィックストリームのそれぞれをデコードし、デコードされた前記ビデオストリームとデコードされた前記グラフィックストリームとを合成した信号を生成し、前記合成した信号を前記第２解像度に変換し、前記出力では、変換された前記第１映像信号を、ＨＤＣＰ２．２を用いて暗号化し、かつ、ＨＤＭＩ２．０に対応する通信プロトコルを用いて前記表示装置に出力し、（ｃ）取得された前記表示装置の種別が前記第３種別である場合、前記選択では、ＨＤＭＩ２．１、及び、ＨＤＣＰ２．２のそれぞれを選択し、前記映像信号の取得では、前記第２映像信号を選択し、前記記録媒体から選択された前記第２映像信号を取得し、前記デコードでは、取得された前記第２映像信号に含まれる前記ビデオストリーム及び前記グラフィックストリームのそれぞれをデコードし、デコードされた前記ビデオストリームとデコードされた前記グラフィックストリームとを合成し、前記出力では、合成された前記第２映像信号を、ＨＤＣＰ２．２を用いて暗号化し、かつ、ＨＤＭＩ２．１に対応する通信プロトコルを用いて前記表示装置に出力し、（ｄ）取得された前記表示装置の種別が前記第４種別である場合、前記選択では、ＨＤＭＩ２．１、及び、ＨＤＣＰ２．２のそれぞれを選択し、前記映像信号の取得では、前記第２映像信号を選択し、前記記録媒体から選択された前記第２映像信号を取得し、前記デコードでは、取得された前記第２映像信号に含まれる前記ビデオストリーム及び前記グラフィックストリームのそれぞれをデコードし、デコードされた前記ビデオストリームとデコードされた前記グラフィックストリームとを合成した信号を生成し、前記合成した信号を前記第２解像度に変換し、前記出力では、変換された前記第２映像信号を、ＨＤＣＰ２．２を用いて暗号化し、かつ、ＨＤＭＩ２．１に対応する通信プロトコルを用いて前記表示装置に出力してもよい。
【００２４】
つまり、図３２に示されるような再生方法によって、表示装置に適切な映像を表示させることができる。
【００２５】
また、例えば、前記記録媒体には、解像度が前記第２解像度であり、かつ、輝度範囲が前記第１輝度範囲であるビデオストリームと、解像度が前記第１解像度であり、かつ、輝度範囲が前記第１輝度範囲であるグラフィックストリームとを含む第１映像信号と、解像度が前記第２解像度であり、かつ、輝度範囲が前記第２輝度範囲であるビデオストリームと、解像度が前記第１解像度であり、かつ、輝度範囲が前記第２輝度範囲であるグラフィックストリームとを含む第２映像信号とが記録され、（ａ）取得された前記表示装置の種別が前記第１種別である場合、前記選択では、ＨＤＭＩ１．４、及び、ＨＤＣＰ１．４のそれぞれを選択し、前記映像信号の取得では、前記第１映像信号を選択し、前記記録媒体から選択された前記第１映像信号を取得し、前記デコードでは、取得された前記第１映像信号に含まれる前記ビデオストリーム及び前記グラフィックストリームのそれぞれをデコードし、デコードされた前記グラフィックストリームを前記第２解像度に変換し、デコードされた前記ビデオストリームと変換された前記グラフィックストリームとを合成した信号を生成し、前記合成した信号を前記第１解像度に変換し、前記出力では、変換された前記第１映像信号を、ＨＤＣＰ１．４を用いて暗号化し、かつ、ＨＤＭＩ１．４に対応する通信プロトコルを用いて前記表示装置に出力し、（ｂ）取得された前記表示装置の種別が前記第２種別である場合、前記選択では、ＨＤＭＩ２．０、及び、ＨＤＣＰ２．２のそれぞれを選択し、前記映像信号の取得では、前記第１映像信号を選択し、前記記録媒体から選択された前記第１映像信号を取得し、前記デコードでは、取得された前記第１映像信号に含まれる前記ビデオストリーム及び前記グラフィックストリームのそれぞれをデコードし、デコードされた前記グラフィックストリームを前記第２解像度に変換し、デコードされた前記ビデオストリームと変換された前記グラフィックストリームとを合成し、前記出力では、合成された前記第１映像信号を、ＨＤＣＰ２．２を用いて暗号化し、かつ、ＨＤＭＩ２．０に対応する通信プロトコルを用いて前記表示装置に出力し、（ｃ）取得された前記表示装置の種別が前記第３種別である場合、前記選択では、ＨＤＭＩ２．１、及び、ＨＤＣＰ２．２のそれぞれを選択し、前記映像信号の取得では、前記第２映像信号を選択し、前記記録媒体から選択された前記第２映像信号を取得し、前記デコードでは、取得された前記第２映像信号に含まれる前記ビデオストリーム及び前記グラフィックストリームのそれぞれをデコードし、デコードされた前記グラフィックストリームを前記第２解像度に変換し、デコードされた前記ビデオストリームと変換された前記グラフィックストリームとを合成した信号を生成し、前記合成した信号を前記第１解像度に変換し、前記出力では、変換された前記第２映像信号を、ＨＤＣＰ２．２を用いて暗号化し、かつ、ＨＤＭＩ２．１に対応する通信プロトコルを用いて前記表示装置に出力し、（ｄ）取得された前記表示装置の種別が前記第４種別である場合、前記選択では、ＨＤＭＩ２．１、及び、ＨＤＣＰ２．２のそれぞれを選択し、前記映像信号の取得では、前記第２映像信号を選択し、前記記録媒体から選択された前記第２映像信号を取得し、前記デコードでは、取得された前記第２映像信号に含まれる前記ビデオストリーム及び前記グラフィックストリームのそれぞれをデコードし、デコードされた前記グラフィックストリームを前記第２解像度に変換し、デコードされた前記ビデオストリームと変換された前記グラフィックストリームとを合成し、前記出力では、合成された前記第２映像信号を、ＨＤＣＰ２．２を用いて暗号化し、かつ、ＨＤＭＩ２．１に対応する通信プロトコルを用いて前記表示装置に出力してもよい。
【００２６】
つまり、図３３に示されるような再生方法によって、表示装置に適切に映像を表示させることができる。
【００２７】
また、例えば、前記記録媒体には、解像度が前記第１解像度であり、かつ、輝度範囲が前記第１輝度範囲であるビデオストリームと、解像度が前記第１解像度であり、かつ、輝度範囲が前記第１輝度範囲であるグラフィックストリームとを含む第１映像信号と、解像度が前記第２解像度であり、かつ、輝度範囲が前記第２輝度範囲であるビデオストリームと、解像度が前記第１解像度であり、かつ、輝度範囲が前記第２輝度範囲であるグラフィックストリームとを含む第２映像信号とが記録され、（ａ）取得された前記表示装置の種別が前記第１種別である場合、前記選択では、ＨＤＭＩ１．４、及び、ＨＤＣＰ１．４のそれぞれを選択し、前記取得では、前記第１映像信号を選択し、前記記録媒体から選択された前記第１映像信号を取得し、前記デコードでは、取得された前記第１映像信号に含まれる前記ビデオストリーム及び前記グラフィックストリームのそれぞれをデコードし、デコードされた前記ビデオストリームとデコードされた前記グラフィックストリームとを合成し、前記出力では、合成された前記第１映像信号を、ＨＤＣＰ１．４を用いて暗号化し、かつ、ＨＤＭＩ１．４に対応する通信プロトコルを用いて前記表示装置に出力し、（ｂ）取得された前記表示装置の種別が前記第２種別である場合、前記選択では、ＨＤＭＩ２．０、及び、ＨＤＣＰ２．２のそれぞれを選択し、前記映像信号の取得では、前記第１映像信号を選択し、前記記録媒体から選択された前記第１映像信号を取得し、前記デコードでは、取得された前記第１映像信号に含まれる前記ビデオストリーム及び前記グラフィックストリームのそれぞれをデコードし、デコードされた前記ビデオストリームとデコードされた前記グラフィックストリームとを合成した信号を生成し、前記合成した信号を前記第２解像度に変換し、前記出力では、変換された前記第１映像信号を、ＨＤＣＰ２．２を用いて暗号化し、かつ、ＨＤＭＩ２．０に対応する通信プロトコルを用いて前記表示装置に出力し、（ｃ）取得された前記表示装置の種別が前記第３種別である場合、前記選択では、ＨＤＭＩ２．１、及び、ＨＤＣＰ２．２のそれぞれを選択し、前記映像信号の取得では、前記第２映像信号を選択し、前記記録媒体から選択された前記第２映像信号を取得し、前記デコードでは、取得された前記第２映像信号に含まれる前記ビデオストリーム及び前記グラフィックストリームのそれぞれをデコードし、デコードされた前記グラフィックストリームを前記第２解像度に変換し、デコードされた前記ビデオストリームと変換された前記グラフィックストリームとを合成した信号を生成し、前記合成した信号を前記第１解像度に変換し、前記出力では、変換された前記第２映像信号を、ＨＤＣＰ２．２を用いて暗号化し、かつ、ＨＤＭＩ２．１に対応する通信プロトコルを用いて前記表示装置に出力し、（ｄ）取得された前記表示装置の種別が前記第４種別である場合、前記選択では、ＨＤＭＩ２．１、及び、ＨＤＣＰ２．２のそれぞれを選択し、前記映像信号の取得では、前記第２映像信号を選択し、前記記録媒体から選択された前記第２映像信号を取得し、前記デコードでは、取得された前記第２映像信号に含まれる前記ビデオストリーム及び前記グラフィックストリームのそれぞれをデコードし、デコードされた前記グラフィックストリームを前記第２解像度に変換し、デコードされた前記ビデオストリームと変換された前記グラフィックストリームとを合成し、前記出力では、合成された前記第２映像信号を、ＨＤＣＰ２．２を用いて暗号化し、かつ、ＨＤＭＩ２．１に対応する通信プロトコルを用いて前記表示装置に出力してもよい。
【００２８】
つまり、図３４に示されるような再生方法によって、表示装置に適切に映像を表示させることができる。
【００２９】
また、例えば、前記再生方法は、さらに、前記再生装置に接続された表示装置のピーク輝度を取得し、（ｅ）取得された前記表示装置の種別が前記第１種別であって、かつ、取得された前記ピーク輝度が前記第１輝度範囲よりも大きい場合、前記選択では、ＨＤＭＩ１．４、及び、ＨＤＣＰ１．４のそれぞれを選択し、前記映像信号の取得では、前記第２映像信号を選択し、前記記録媒体から選択された前記第２映像信号を取得し、前記デコードでは、取得された前記第２映像信号に含まれる前記ビデオストリーム及び前記グラフィックストリームのそれぞれをデコードし、デコードされた前記ビデオストリームとデコードされた前記グラフィックストリームとを合成した信号を生成し、前記合成した信号を、取得された前記ピーク輝度を有する輝度範囲に変換した後さらに前記第１輝度範囲に変換し、かつ、前記第１解像度に変換し、前記出力では、変換された前記第２映像信号を、ＨＤＣＰ１．４を用いて暗号化し、かつ、ＨＤＭＩ１．４に対応する通信プロトコルを用いて前記表示装置に出力し、（ｆ）取得された前記表示装置の種別が前記第２種別であって、かつ、取得された前記ピーク輝度が前記第１輝度範囲よりも大きい場合、前記選択では、ＨＤＭＩ２．０、及び、ＨＤＣＰ２．２のそれぞれを選択し、前記映像信号の取得では、前記第２映像信号を選択し、前記記録媒体から選択された前記第２映像信号を取得し、前記デコードでは、取得された前記第２映像信号に含まれる前記ビデオストリーム及び前記グラフィックストリームのそれぞれをデコードし、デコードされた前記ビデオストリームとデコードされた前記グラフィックストリームとを合成した信号を生成し、前記合成した信号を取得された前記ピーク輝度を有する輝度範囲に変換した後、さらに前記第１輝度範囲に変換し、前記出力では、変換された前記第２映像信号を、ＨＤＣＰ２．２を用いて暗号化し、かつ、ＨＤＭＩ２．０に対応する通信プロトコルを用いて前記表示装置に出力してもよい。
【００３０】
つまり、図３７に示されるような疑似ＨＤＲ変換を含む再生方法によって、表示装置に適切に映像を表示させることができる。
【００３１】
また、例えば、前記再生方法は、さらに、前記再生装置に接続された表示装置のピーク輝度を取得し、（ｅ）取得された前記表示装置の種別が前記第１種別であって、かつ、取得された前記ピーク輝度が前記第１輝度範囲よりも大きい場合、前記選択では、ＨＤＭＩ１．４、及び、ＨＤＣＰ１．４のそれぞれを選択し、前記映像信号の取得では、前記第２映像信号を選択し、前記記録媒体から選択された前記第２映像信号を取得し、前記デコードでは、取得された前記第２映像信号に含まれる前記ビデオストリーム及び前記グラフィックストリームのそれぞれをデコードし、デコードされた前記グラフィックストリームを前記第２解像度に変換し、デコードされた前記ビデオストリームと変換された前記グラフィックストリームとを合成した信号を生成し、前記合成した信号を、取得された前記ピーク輝度を有する輝度範囲に変換した後さらに前記第１輝度範囲に変換し、かつ、前記第１解像度に変換し、前記出力では、変換された前記第２映像信号を、ＨＤＣＰ１．４を用いて暗号化し、かつ、ＨＤＭＩ１．４に対応する通信プロトコルを用いて前記表示装置に出力し、（ｆ）取得された前記表示装置の種別が前記第２種別であって、かつ、取得された前記ピーク輝度が前記第１輝度範囲よりも大きい場合、前記選択では、ＨＤＭＩ２．０、及び、ＨＤＣＰ２．２のそれぞれを選択し、前記映像信号の取得では、前記第２映像信号を選択し、前記記録媒体から選択された前記第２映像信号を取得し、前記デコードでは、取得された前記第２映像信号に含まれる前記ビデオストリーム及び前記グラフィックストリームのそれぞれをデコードし、デコードされた前記グラフィックストリームを前記第２解像度に変換し、デコードされた前記ビデオストリームと変換された前記グラフィックストリームとを合成した信号を生成し、前記合成した信号を取得された前記ピーク輝度を有する輝度範囲に変換した後、さらに前記第１輝度範囲に変換し、前記出力では、変換された前記第２映像信号を、ＨＤＣＰ２．２を用いて暗号化し、かつ、ＨＤＭＩ２．０に対応する通信プロトコルを用いて前記表示装置に出力してもよい。
【００３２】
つまり、図３８に示されるような疑似ＨＤＲ変換を含む再生方法によって、表示装置に適切に映像を表示させることができる。
【００３３】
また、本開示の一態様に係る再生装置は、コンテンツを再生する再生装置であって、前記再生装置に接続された表示装置の種別を取得する第一取得部と、取得された前記表示装置の種別に応じて、ＨＤＭＩのバージョン、及び、ＨＤＣＰのバージョンのそれぞれを選択する選択部と、記録媒体に記録された同一のコンテンツを再生するための複数の映像信号であって、解像度及び輝度範囲の少なくとも一方が異なる複数の映像信号から、一つの映像信号を前記表示装置の種別に応じて選択し、前記記録媒体から選択された映像信号を取得する第二取得部と、取得された前記映像信号をデコードするデコーダと、デコードされた前記映像信号を、選択されたバージョンのＨＤＣＰを用いて暗号化し、かつ、選択されたバージョンのＨＤＭＩを用いて前記表示装置に出力する出力部とを備え、前記表示装置の種別は、解像度が第１解像度であり、かつ、第１輝度範囲に対応した表示装置を示す第１種別と、解像度が第２解像度であり、かつ、前記第１輝度範囲に対応した表示装置を示す第２種別と、解像度が前記第１解像度であり、かつ、第２輝度範囲に対応した表示装置を示す第３種別と、解像度が前記第２解像度であり、かつ、前記第２輝度範囲に対応した表示装置を示す第４種別の中の１つであり、前記第２解像度は、前記第１解像度よりも画素数が多く、前記第２輝度範囲は、前記第１輝度範囲を含み、かつピーク輝度が前記第１輝度範囲よりも大きい。
【００３４】
なお、これらの包括的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムまたは記録媒体の任意な組み合わせで実現されてもよい。
【００３５】
以下、添付の図面を参照して、本開示の一態様に係る再生方法および再生装置について、具体的に説明する。
【００３６】
なお、以下で説明する実施の形態は、いずれも本開示の一具体例を示すものである。以下の実施の形態で示される数値、形状、材料、構成要素。構成要素の配置位置及び接続形態、ステップ、ステップの順序などは、一例であり、本開示を限定する主旨ではない。また、以下の実施の形態における構成要素のうち、最上位概念を示す独立請求項に記載されていない構成要素については、任意の構成要素として説明される。
【００３７】
（実施の形態１）
［実施の形態１の基礎となった知見］
本発明者は、「背景技術」の欄において記載した、画像信号処理装置に関し、以下の課題が生じることを見出した。
【００３８】
特許文献１に開示されている画像信号処理装置では、被写体を構成する画素から算出されたリニアＲＧＢ値に基づいて画素毎にリニア輝度を算出し、リニアＲＧＢ値およびリニア輝度に基づいて画素毎の補正リニア輝度および当該画素を含む複数の画素を合成した合成画素の補正リニアＲＧＢ値を算出し、補正リニア輝度および補正リニアＲＧＢ値をそれぞれガンマ補正して表示用輝度および表示用ＲＧＢ値を算出する。このように、画像信号処理装置では、補正リニアＲＧＢ値に基づいてリニア輝度を補正することにより、表示可能な階調数の増加を図っている。
【００３９】
しかしながら、特許文献１に開示されている画像信号処理装置などの輝度の補正（変換）においては、ある輝度範囲から輝度範囲が縮小された輝度範囲に輝度を補正（変換）するときの輝度の変換方法については考慮されていなかった。
【００４０】
本開示は、輝度範囲が高い高輝度信号であるＨＤＲ（Ｈｉｇｈ  Ｄｙｎａｍｉｃ  Ｒａｎｇｅ）信号を、最大輝度値が１００ｎｉｔである輝度範囲の通常輝度信号であるＳＤＲ（Ｓｔａｎｄａｒｄ  Ｄｙｎａｍｉｃ  Ｒａｎｇｅ）信号に対応したＴＶ、プロジェクタ、タブレット、スマートフォン等のディスプレイ装置で表示させるための画像変換・再生方法、装置に関する。
【００４１】
［１−１．背景］
まず、映像技術の変遷について、図１を用いて説明する。図１は、映像技術の進化について説明するための図である。
【００４２】
これまで、映像の高画質化としては、表示画素数の拡大に主眼がおかれ、Ｓｔａｎｄａｒｄ  Ｄｅｆｉｎｉｔｉｏｎ（ＳＤ）の７２０×４８０画素の映像から、Ｈｉｇｈ  Ｄｅｆｉｎｉｔｉｏｎ（ＨＤ）の１９２０×１０８０画素の、所謂２Ｋ映像が普及している。
【００４３】
近年、映像の更なる高画質化を目指して、Ｕｌｔｒａ  Ｈｉｇｈ  Ｄｅｆｉｎｉｔｉｏｎ（ＵＨＤ）の３８４０×１９２０画素、あるいは、４Ｋの４０９６×１９２０画素の、所謂４Ｋ映像の導入が開始された。
【００４４】
そして、４Ｋの導入による映像の高解像度化を行うと共に、ダイナミックレンジ拡張や色域の拡大、あるいは、フレームレートの追加、向上などを行うことで映像を高画質化することが検討されている。
【００４５】
その中でも、ダイナミックレンジについては、従来の映像における暗部階調を維持しつつ、現行のＴＶ信号では表現不能な鏡面反射光などの明るい光を、より現実に近い明るさで表現するために最大輝度値を拡大した輝度範囲に対応させた方式として、ＨＤＲ（Ｈｉｇｈ  Ｄｙｎａｍｉｃ  Ｒａｎｇｅ）が注目されている。具体的には、これまでのＴＶ信号が対応している輝度範囲の方式は、ＳＤＲ（Ｓｔａｎｄａｒｄ  Ｄｙｎａｍｉｃ  Ｒａｎｇｅ）と呼ばれ、最大輝度値が１００ｎｉｔであったのに対して、ＨＤＲでは１０００ｎｉｔ以上まで最大輝度値を拡大することが想定されている。ＨＤＲは、ＳＭＰＴＥ（Ｓｏｃｉｅｔｙ  ｏｆ  Ｍｏｔｉｏｎ  Ｐｉｃｔｕｒｅ  ＆  Ｔｅｌｅｖｉｓｉｏｎ  Ｅｎｇｉｎｅｅｒｓ）やＩＴＵ−Ｒ（Ｉｎｔｅｒｎａｔｉｏｎａｌ  Ｔｅｌｅｃｏｍｍｕｎｉｃａｔｉｏｎｓ  Ｕｎｉｏｎ  Ｒａｄｉｏｃｏｍｍｕｎｉｃａｔｉｏｎｓ  Ｓｅｃｔｏｒ）などにおいて、標準化が進行中である。
【００４６】
ＨＤＲの具体的な適用先としては、ＨＤやＵＨＤと同様に、放送やパッケージメディア（Ｂｌｕ−ｒａｙ（登録商標）  Ｄｉｓｃ等）、インターネット配信などで使われることが想定されている。
【００４７】
なお、以下では、ＨＤＲに対応した映像において、当該映像の輝度は、ＨＤＲの輝度範囲の輝度値からなり、当該映像の輝度値が量子化されることで得られた輝度信号をＨＤＲ信号と呼ぶ。ＳＤＲに対応した映像において、当該映像の輝度は、ＳＤＲの輝度範囲の輝度値からなり、当該映像の輝度値が量子化されることで得られた輝度信号をＳＤＲ信号と呼ぶ。
【００４８】
［１−２．マスター生成、配信方式、および表示装置の関係］
図２は、コンテンツに新たな映像表現を導入するときの、映像制作、配信方式、および表示装置の関係について説明するための図である。
【００４９】
映像の高画質化のために新たな映像表現（画素数の増加等）を導入する場合には、図２に示すように、（１）映像制作側のＨｏｍｅ  Ｅｎｔｅｒｔａｉｎｍｅｎｔ向けマスターを変更する必要がある。それに応じて、（２）放送、通信、パッケージメディア等の配信方式も、（３）その映像を表示するＴＶ、プロジェクタ等の表示装置も更新する必要がある。
【００５０】
［１−３．ＨＤＲ導入時のマスター、配信方式、および表示装置の関係］
ユーザが新たな映像表現に対応したコンテンツ（例えば、高輝度映像コンテンツ（ＨＤＲコンテンツ））を家庭内で楽しむためには、ＨＤＲ対応配信方式およびＨＤＲ対応表示装置の両方を新たに導入する必要がある。つまり、新たな映像表現に対応したコンテンツを家庭内で楽しむためには、ユーザは、新たな映像表現に対応した配信方式および表示装置を用意する必要がある。このことは、ＳＤの映像からＨＤの映像、ＨＤの映像から３Ｄの映像、ＨＤの映像からＵＨＤ（４Ｋ）の映像に代わったときのような新たな映像表現が導入された場合にも避けることができなかった。
【００５１】
このため、高価で、大きさ・重量等の点でも置き換えが容易でない、ＴＶを買い替える必要がある、新たな映像表現への変更は、新たな機能を持つ表示装置（例えばＴＶ）の普及に依存することになる。媒体側も、コンテンツ側も当初は大きな投資ができないため、新たな映像表現の普及が遅くなることが多かった。
【００５２】
よって、図３に示すように、ＨＤＲについても、ＨＤＲ本来の映像表現をフルに生かすためには、ＨＤＲに対応した映像の表示（以下、「ＨＤＲ表示」という。）に対応したＴＶ（以下、「ＨＤＲＴＶ」という。）への買い替えが必要になると予想される。
【００５３】
［１−４．ＳＤＲＴＶ］
ＳＤＲに対応した映像の表示（以下、「ＳＤＲ表示」という。）のみに対応したＴＶ（以下、「ＳＤＲＴＶ」という。）は、通常、輝度値が１００ｎｉｔまでの入力信号が入力される。このため、ＳＤＲＴＶは、その表示能力が１００ｎｉｔであれば入力信号の輝度値を表現するのに十分である。しかし、ＳＤＲＴＶは、実際は、視聴環境（暗い部屋：シネマモード、明るい部屋：ダイナミックモード等）に合わせて、最適な輝度値の映像を再生する機能を有し、２００ｎｉｔ以上の映像表現が可能な能力を持っているものが多い。つまり、このようなＳＤＲＴＶは、視聴環境に応じた表示モードを選択することで、表示能力の最大輝度（例えば、３００ｎｉｔ）までの映像を表示できる。
【００５４】
しかし、ＳＤＲＴＶに入力されるＳＤＲ方式の入力信号では、入力信号の輝度上限が１００ｎｉｔに決められているため、従来通りにＳＤＲ方式の入力インターフェースを使う限り、ＳＤＲＴＶが持つ１００ｎｉｔを超える高輝度の映像再生能力をＨＤＲ信号の再生用に使うことは難しい（図４Ａおよび図４Ｂ参照）。
【００５５】
［１−５．ＨＤＲ→ＳＤＲ変換］
ＨＤＲ対応の放送、通信ネットワークを介した動画配信、あるいは、ＨＤＲ対応のパッケージメディア（例えば、ＨＤＲ対応のＢｌｕ−ｒａｙ（登録商標）  Ｄｉｓｃ）等の配信方式により配信された高輝度映像コンテンツ（以下、「ＨＤＲコンテンツ」または「ＨＤＲ映像」ともいう。）は、ＨＤＲ対応の再生装置（例えば、通信ＳＴＢ（Ｓｅｔ  Ｔｏｐ  Ｂｏｘ）、Ｂｌｕ−ｒａｙ（登録商標）機器、ＩＰＴＶ再生機器）を介して、ＳＤＲＴＶにより出力される場合が想定される。ＳＤＲＴＶでＨＤＲコンテンツを再生する場合、ＳＤＲＴＶで映像が正しく表示できるように、ＨＤＲに対応するＨＤＲ信号を、１００ｎｉｔを最大値とするＳＤＲ輝度範囲のＳＤＲ信号に変換する「ＨＤＲ→ＳＤＲ変換」を実現する。これにより、ＳＤＲＴＶは、変換されたＳＤＲ信号を用いて、ＨＤＲ映像から変換されることで得られたＳＤＲ映像の表示を行うことが可能となる（図５参照）。
【００５６】
ただし、この場合でも、ユーザはＨＤＲ対応のコンテンツ（例えばＢｌｕ−ｒａｙ（登録商標）  Ｄｉｓｃ、ＨＤＲ  ＩＰＴＶコンテンツ）とＨＤＲ対応の再生装置（例えばＢｌｕ−ｒａｙ（登録商標）機器、ＨＤＲ対応のＩＰＴＶ再生機器）とを購入したのにも関わらず、ＳＤＲＴＶではＳＤＲの映像表現（ＳＤＲ表現）でしか映像を楽しむことができない。つまり、ＨＤＲコンテンツと、ＨＤＲに対応した再生機器とを用意しても、ＨＤＲに対応した表示装置（例えばＨＤＲＴＶ）がなく、ＳＤＲＴＶしかない場合には、ＨＤＲの映像表現（ＨＤＲ表現）で映像を視聴することができない。
【００５７】
よって、ユーザは、ＨＤＲＴＶを用意できなければ、ＨＤＲコンテンツや伝送媒体（再生装置）を購入しても、ＨＤＲの価値（つまりＨＤＲが高画質であることによるＳＤＲに対する優位性）が解らない。このように、ユーザは、ＨＤＲＴＶが無ければＨＤＲの価値が分からないため、ＨＤＲコンテンツやＨＤＲ対応配信方式の普及は、ＨＤＲＴＶの普及速度に応じて決まると言える。
【００５８】
［１−６．ＨＤＲ→ＳＤＲ変換を実現する２つの方式］
Ｂｌｕ−ｒａｙ（登録商標）  Ｄｉｓｃ（ＢＤ）を用いてＨＤＲ信号をＴＶに送る場合、下記の図６Ａおよび図６Ｂに示すように２つのケースが想定できる。図６Ａは、ＨＤＲ対応のＢＤに、ＨＤＲに対応したＨＤＲ信号のみが格納されているケース１について説明するための図である。図６Ｂは、ＨＤＲ対応のＢＤにＨＤＲに対応したＨＤＲ信号およびＳＤＲに対応したＳＤＲ信号が格納されているケース２について説明するための図である。
【００５９】
図６Ａに示すように、ケース１において、ＨＤＲＴＶにＢｌｕ−ｒａｙ（登録商標）機器でＢＤを再生した映像を表示させる場合には、ＨＤＲ対応のＢＤ（以下、「ＨＤＲＢＤ」という。）を再生したときでも、ＳＤＲ対応のＢＤ（以下、「ＳＤＲＢＤ」という。）を再生したときでも、Ｂｌｕ−ｒａｙ（登録商標）機器は、ＢＤに格納された輝度信号を変換することなくそのままＨＤＲＴＶに出力する。そして、ＨＤＲＴＶは、ＨＤＲ信号もＳＤＲ信号も表示処理することができるため、入力された輝度信号に応じた表示処理を行い、ＨＤＲ映像またはＳＤＲ映像を表示する。
【００６０】
一方で、ケース１において、ＳＤＲＴＶにＢｌｕ−ｒａｙ（登録商標）機器でＢＤを再生した映像を表示させる場合には、ＨＤＲＢＤを再生したときは、Ｂｌｕ−ｒａｙ（登録商標）機器は、ＨＤＲ信号からＳＤＲ信号へ変換する変換処理を行い、変換処理により得られたＳＤＲ信号をＳＤＲＴＶに出力する。また、ＳＤＲＢＤを再生したときは、Ｂｌｕ−ｒａｙ（登録商標）機器は、ＢＤに格納されたＳＤＲ信号を変換することなくそのままＳＤＲＴＶに出力する。これにより、ＳＤＲＴＶは、ＳＤＲ映像を表示する。
【００６１】
また、図６Ｂに示すように、ケース２において、ＨＤＲＴＶにＢｌｕ−ｒａｙ（登録商標）機器でＢＤを再生した映像を表示させる場合には、ケース１と同様である。
【００６２】
一方で、ケース２において、ＳＤＲＴＶにＢｌｕ−ｒａｙ（登録商標）機器でＢＤを再生した映像を表示させる場合には、ＨＤＲＢＤを再生したときでも、ＳＤＲＢＤを再生したときでも、Ｂｌｕ−ｒａｙ（登録商標）機器は、ＢＤに格納されたＳＤＲ信号を変換することなくそのままＳＤＲＴＶに出力する。
【００６３】
ケース１も、ケース２も、共にＨＤＲＢＤとＨＤＲ対応のＢｌｕ−ｒａｙ（登録商標）機器を買っても、ＨＤＲＴＶが無ければ、ＳＤＲ映像しか楽しむことができない。したがって、ユーザがＨＤＲ映像を見るためにはＨＤＲＴＶが必要になり、ＨＤＲ対応のＢｌｕ−ｒａｙ（登録商標）機器またはＨＤＲＢＤの普及には時間がかかることが予測される。
【００６４】
［１−７．ＨＤＲ→疑似ＨＤＲ変換］
以上のことからＨＤＲの普及を促進するためには、ＨＤＲＴＶの普及を待たずに、ＨＤＲコンテンツや配信方式の事業化を推進できることが重要であると言える。このためには、既存のＳＤＲＴＶで、ＨＤＲ信号を、ＳＤＲ映像としてではなく、ＨＤＲ映像または、ＳＤＲ映像よりもＨＤＲ映像に近づけた疑似ＨＤＲ映像として視聴可能にすることができれば、ユーザは、ＨＤＲＴＶを買わなくても、ＳＤＲ映像とは明らかに異なる、ＨＤＲ映像に近いより高画質な映像を視聴できる。つまり、ユーザは、ＳＤＲＴＶで疑似ＨＤＲ映像を視聴できれば、ＨＤＲＴＶを用意しなくてもＨＤＲコンテンツやＨＤＲ配信機器を用意するだけで、ＳＤＲ映像よりも高画質な映像を視聴することができるようになる。要するに、疑似ＨＤＲ映像をＳＤＲＴＶで視聴できるようにすることは、ＨＤＲコンテンツやＨＤＲ配信機器を購入するためのユーザの動機になり得る（図７参照）。
【００６５】
疑似ＨＤＲ映像をＳＤＲＴＶに表示させることを実現するために、ＨＤＲ配信方式にＳＤＲＴＶが接続された構成で、ＨＤＲコンテンツを再生した時に、ＳＤＲＴＶでＨＤＲコンテンツの映像が正しく表示できるように、ＨＤＲ信号をＳＤＲ映像信号に変換する代わりに、ＳＤＲＴＶの１００ｎｉｔを最大値とする映像信号の入力を用いて、ＳＤＲＴＶが持つ表示能力の最大輝度、例えば、２００ｎｉｔ以上の映像を表示させるための疑似ＨＤＲ信号を生成し、生成した疑似ＨＤＲ信号をＳＤＲＴＶに送ることを可能にする「ＨＤＲ→疑似ＨＤＲ変換処理」を実現することが必要になる。
【００６６】
［１−８．ＥＯＴＦについて］
ここで、ＥＯＴＦについて、図８Ａおよび図８Ｂを用いて説明する。
【００６７】
図８Ａは、ＨＤＲおよびＳＤＲのそれぞれに対応したＥＯＴＦ（Ｅｌｅｃｔｒｏ−Ｏｐｔｉｃａｌ  Ｔｒａｎｓｆｅｒ  Ｆｕｎｃｔｉｏｎ）の例について示す図である。
【００６８】
ＥＯＴＦは、一般的にガンマカーブと呼ばれるものであり、コード値と輝度値との対応を示し、コード値を輝度値に変換するものである。つまり、ＥＯＴＦは、複数のコード値と輝度値との対応関係を示す関係情報である。
【００６９】
また、図８Ｂは、ＨＤＲおよびＳＤＲのそれぞれに対応した逆ＥＯＴＦの例について示す図である。
【００７０】
逆ＥＯＴＦは、輝度値とコード値との対応を示し、ＥＯＴＦとは逆に輝度値を量子化してコード値に変換するものである。つまり、逆ＥＯＴＦは、輝度値と複数のコード値との対応関係を示す関係情報である。例えば、ＨＤＲに対応した映像の輝度値を１０ビットの階調のコード値で表現する場合、１０，０００ｎｉｔまでのＨＤＲの輝度範囲における輝度値は、量子化されて、０〜１０２３までの１０２４個の整数値にマッピングされる。つまり、逆ＥＯＴＦに基づいて量子化することで、１０，０００ｎｉｔまでの輝度範囲の輝度値（ＨＤＲに対応した映像の輝度値）を、１０ビットのコード値であるＨＤＲ信号に変換する。ＨＤＲに対応したＥＯＴＦ（以下、「ＨＤＲのＥＯＴＦ」という。）またはＨＤＲに対応した逆ＥＯＴＦ（以下、「ＨＤＲの逆ＥＯＴＦ」という。）においては、ＳＤＲに対応したＥＯＴＦ（以下、「ＳＤＲのＥＯＴＦ」という。）またはＳＤＲに対応した逆ＥＯＴＦ（以下、「ＳＤＲの逆ＥＯＴＦ」という。）よりも高い輝度値を表現することが可能であり、例えば、図８Ａおよび図８Ｂにおいては、輝度の最大値（ピーク輝度）は、１０，０００ｎｉｔである。つまり、ＨＤＲの輝度範囲は、ＳＤＲの輝度範囲を全て含み、ＨＤＲのピーク輝度は、ＳＤＲのピーク輝度より大きい。ＨＤＲの輝度範囲は、ＳＤＲの輝度範囲の最大値である１００ｎｉｔから、１０，０００ｎｉｔまで、最大値を拡大した輝度範囲である。
【００７１】
例えば、ＨＤＲのＥＯＴＦおよびＨＤＲの逆ＥＯＴＦは、一例として、米国映画テレビ技術者協会（ＳＭＰＴＥ）で規格化されたＳＭＰＴＥ  ２０８４がある。
【００７２】
なお、以降の明細書中において、図８Ａ及び図８Ｂに記載されている０ｎｉｔからピーク輝度である１００ｎｉｔまでの輝度範囲は、第１輝度範囲と記載される場合がある。同様に、図８Ａ及び図８Ｂに記載されている、０ｎｉｔからピーク輝度である１０，０００ｎｉｔまでの輝度範囲は、第２輝度範囲と記載される場合がある。
【００７３】
［１−９．ＥＯＴＦの使い方］
図９は、コンテンツに格納される輝度信号のコード値の決定方法、および、再生時にコード値から輝度値を復元するプロセスの説明図である。
【００７４】
本例における輝度を示す輝度信号はＨＤＲに対応したＨＤＲ信号である。グレーディング後の画像は、ＨＤＲの逆ＥＯＴＦにより量子化され、当該画像の輝度値に対応するコード値が決定する。このコード値に基づいて画像符号化などが行われ、ビデオのストリームが生成される。再生時には、ストリームの復号結果に対して、ＨＤＲのＥＯＴＦに基づいて逆量子化することによりリニアな信号に変換され、画素毎の輝度値が復元される。以下、ＨＤＲの逆ＥＯＴＦを用いた量子化を「逆ＨＤＲのＥＯＴＦ変換」という。ＨＤＲのＥＯＴＦを用いた逆量子化を「ＨＤＲのＥＯＴＦ変換」という。同様に、ＳＤＲの逆ＥＯＴＦを用いた量子化を「逆ＳＤＲのＥＯＴＦ変換」という。ＳＤＲのＥＯＴＦを用いた逆量子化を「ＳＤＲのＥＯＴＦ変換」という。
【００７５】
［１−１０．疑似ＨＤＲの必要性］
次に、疑似ＨＤＲの必要性について図１０Ａ〜図１０Ｃを用いて説明する。
【００７６】
図１０Ａは、ＨＤＲＴＶ内で、ＨＤＲ信号を変換してＨＤＲ表示を行う表示処理の一例を示す図である。
【００７７】
図１０Ａに示すように、ＨＤＲ映像を表示する場合、表示装置がＨＤＲＴＶであっても、ＨＤＲの輝度範囲の最大値（ピーク輝度（ＨＰＬ（ＨＤＲ  Ｐｅａｋ  Ｌｕｍｉｎａｎｃｅ）：例１５００ｎｉｔ））をそのまま表示することができない場合がある。この場合、ＨＤＲのＥＯＴＦを用いた逆量子化を行った後のリニアな信号を、その表示装置の輝度範囲の最大値（ピーク輝度（ＤＰＬ（Ｄｉｓｐｌａｙ  Ｐｅａｋ  Ｉｕｍｉｎａｎｃｅ）：例７５０ｎｉｔ））に合わせるための輝度変換を行う。そして、輝度変換を行うことで得られた映像信号を表示装置に入力することで、その表示装置の限界である最大値の輝度範囲に合わせたＨＤＲ映像を表示することができる。
【００７８】
図１０Ｂは、ＨＤＲ対応の再生装置とＳＤＲＴＶとを用いて、ＨＤＲ表示を行う表示処理の一例を示す図である。
【００７９】
図１０Ｂに示すように、ＨＤＲ映像を表示する場合、表示装置がＳＤＲＴＶであれば、表示するＳＤＲＴＶの輝度範囲の最大値（ピーク輝度（ＤＰＬ：例３００ｎｉｔ））が１００ｎｉｔを超えることを利用して、図１０ＢのＨＤＲ対応の再生装置（Ｂｌｕ−ｒａｙ（登録商標）機器）内の「ＨＤＲ→疑似ＨＤＲ変換処理」で、ＨＤＲＴＶ内で行っている、「ＨＤＲのＥＯＴＦ変換」とＳＤＲＴＶの輝度範囲の最大値であるＤＰＬ（例：３００ｎｉｔ）を使った「輝度変換」を行い、「輝度変換」を行うことで得られた信号をＳＤＲＴＶの「表示装置」に直接入力できれば、ＳＤＲＴＶを使っても、ＨＤＲＴＶと同じ効果を実現することができる。
【００８０】
しかしながら、ＳＤＲＴＶには、このような信号を、外部から直接入力するための手段が無いため、実現できない。
【００８１】
図１０Ｃは、標準インターフェースを介して互いに接続したＨＤＲ対応の再生装置とＳＤＲＴＶと用いて、ＨＤＲ表示を行う表示処理の一例を示す図である。
【００８２】
図１０Ｃに示すように、通常、ＳＤＲＴＶが備える入力インターフェース（ＨＤＭＩ（登録商標）等）を使って、図１０Ｂの効果を得られるような信号をＳＤＲＴＶに入力する必要がある。ＳＤＲＴＶでは、入力インターフェースを介して入力した信号は、「ＳＤＲのＥＯＴＦ変換」と「モード毎の輝度変換」と「表示装置」を順に通過し、その表示装置の最大値の輝度範囲に合わせた映像を表示する。このため、ＨＤＲ対応のＢｌｕ−ｒａｙ（登録商標）機器内で、ＳＤＲＴＶで入力インターフェースの直後に通過する、「ＳＤＲのＥＯＴＦ変換」と「モード毎の輝度変換」とをキャンセルできるような信号（疑似ＨＤＲ信号）を生成する。つまり、ＨＤＲ対応のＢｌｕ−ｒａｙ（登録商標）機器内で、「ＨＤＲのＥＯＴＦ変換」とＳＤＲＴＶのピーク輝度（ＤＰＬ）を使った「輝度変換」との直後に、「モード毎の逆輝度変換」と「逆ＳＤＲのＥＯＴＦ変換」とを行うことで、「輝度変換」直後の信号を「表示装置」に入力した場合（図１０Ｃの破線矢印）と同じ効果を疑似的実現する。
【００８３】
［１−１１．変換装置および表示装置］
図１１は、実施の形態の変換装置および表示装置の構成を示すブロック図である。図１２は、実施の形態の変換装置および表示装置により行われる変換方法および表示方法を示すフローチャートである。
【００８４】
図１１に示すように、変換装置１００は、ＨＤＲのＥＯＴＦ変換部１０１、輝度変換部１０２、逆輝度変換部１０３、および逆ＳＤＲのＥＯＴＦ変換部１０４を備える。また、表示装置２００は、表示設定部２０１、ＳＤＲのＥＯＴＦ変換部２０２、輝度変換部２０３、および表示部２０４を備える。
【００８５】
変換装置１００および表示装置２００の各構成要素についての詳細な説明は、変換方法および表示方法の説明において行う。
【００８６】
［１−１２．変換方法および表示方法］
変換装置１００が行う変換方法について、図１２を用いて説明する。なお、変換方法は、以下で説明するステップＳ１０１〜ステップＳ１０４を含む。
【００８７】
まず、変換装置１００のＨＤＲのＥＯＴＦ変換部１０１は、逆ＨＤＲのＥＯＴＦ変換が行われたＨＤＲ映像を取得する。変換装置１００のＨＤＲのＥＯＴＦ変換部１０１は、取得したＨＤＲ映像のＨＤＲ信号に対して、ＨＤＲのＥＯＴＦ変換を実施する（Ｓ１０１）。これにより、ＨＤＲのＥＯＴＦ変換部１０１は、取得したＨＤＲ信号を、輝度値を示すリニアな信号に変換する。ＨＤＲのＥＯＴＦは、例えばＳＭＰＴＥ  ２０８４がある。
【００８８】
次に、変換装置１００の輝度変換部１０２は、ＨＤＲのＥＯＴＦ変換部１０１により変換されたリニアな信号を、ディスプレイ特性情報とコンテンツ輝度情報とを用いて変換する第１輝度変換を行う（Ｓ１０２）。第１輝度変換において、ＨＤＲの輝度範囲に対応した輝度値（以下、「ＨＤＲの輝度値」という。）を、ディスプレイの輝度範囲に対応した輝度値（以下、「ディスプレイ輝度値」という。）に変換する。詳細は後述する。
【００８９】
上記のことから、ＨＤＲのＥＯＴＦ変換部１０１は、映像の輝度値が量子化されることで得られたコード値を示す第１輝度信号としてのＨＤＲ信号を取得する取得部として機能する。また、ＨＤＲのＥＯＴＦ変換部１０１および輝度変換部１０２は、取得部により取得されたＨＤＲ信号が示すコード値を、ディスプレイ（表示装置２００）の輝度範囲に基づいて決定する、ＨＤＲの輝度範囲の最大値（ＨＰＬ）よりも小さく、かつ、１００ｎｉｔよりも大きい最大値（ＤＰＬ）であるディスプレイの輝度範囲に対応するディスプレイ輝度値へ変換する変換部として機能する。
【００９０】
より具体的には、ＨＤＲのＥＯＴＦ変換部１０１は、ステップＳ１０１において、取得したＨＤＲ信号と、ＨＤＲのＥＯＴＦとを用いて、取得したＨＤＲ信号が示す第１コード値としてのＨＤＲのコード値について、ＨＤＲのコード値にＨＤＲのＥＯＴＦにおいて関係付けられたＨＤＲの輝度値を決定する。なお、ＨＤＲ信号は、ＨＤＲの輝度範囲における輝度値と、複数のＨＤＲのコード値とを関係付けたＨＤＲの逆ＥＯＴＦを用いて、映像（コンテンツ）の輝度値が量子化されることで得られたＨＤＲのコード値を示す。
【００９１】
また、輝度変換部１０２は、ステップＳ１０２において、ステップＳ１０１で決定したＨＤＲの輝度値について、当該ＨＤＲの輝度値に予め関係付けられた、ディスプレイの輝度範囲に対応するディスプレイ輝度値を決定し、ＨＤＲの輝度範囲に対応するＨＤＲの輝度値を、ディスプレイの輝度範囲に対応するディスプレイ輝度値へ変換する第１輝度変換を行う。
【００９２】
また、変換装置１００は、ステップＳ１０２の前に、映像（コンテンツ）の輝度の最大値（ＣＰＬ：Ｃｏｎｔｅｎｔ  Ｐｅａｋ  ｌｕｍｉｎａｎｃｅ）および映像の平均輝度値（ＣＡＬ：Ｃｏｎｔｅｎｔ  Ａｖｅｒａｇｅ  ｌｕｍｉｎａｎｃｅ）の少なくとも一方を含むコンテンツ輝度情報をＨＤＲ信号に関する情報として取得している。ＣＰＬ（第１最大輝度値）は、例えば、ＨＤＲ映像を構成する複数の画像に対する輝度値のうちの最大値である。また、ＣＡＬは、例えば、ＨＤＲ映像を構成する複数の画像に対する輝度値の平均である平均輝度値である。
【００９３】
また、変換装置１００は、ステップＳ１０２の前に、表示装置２００から表示装置２００のディスプレイ特性情報を取得している。なお、ディスプレイ特性情報とは、表示装置２００が表示できる輝度の最大値（ＤＰＬ）、表示装置２００の表示モード（後述参照）、入出力特性（表示装置が対応するＥＯＴＦ）などの表示装置２００の表示特性を示す情報である。
【００９４】
また、変換装置１００は、推奨表示設定情報（後述参照、以下、「設定情報」ともいう。）を表示装置２００に送信してもよい。
【００９５】
次に、変換装置１００の逆輝度変換部１０３は、表示装置２００の表示モードに応じた逆輝度変換を行う。これにより、逆輝度変換部１０３は、ディスプレイの輝度範囲に対応した輝度値を、ＳＤＲの輝度範囲（０〜１００〔ｎｉｔ〕）に対応する輝度値に変換する第２輝度変換を行う（Ｓ１０３）。詳細は後述する。つまり、逆輝度変換部１０３は、ステップＳ１０２で得られたディスプレイ輝度値について、当該ディスプレイ輝度値に予め関係付けられた、１００ｎｉｔを最大値とするＳＤＲの輝度範囲に対応する第３輝度値としてのＳＤＲに対応した輝度値（以下、「ＳＤＲの輝度値」という。）ＳＤＲの輝度値を決定し、ディスプレイの輝度範囲に対応するディスプレイ輝度値を、ＳＤＲの輝度範囲に対応するＳＤＲの輝度値へ変換する第２輝度変換を行う。
【００９６】
そして、変換装置１００の逆ＳＤＲのＥＯＴＦ変換部１０４は、逆ＳＤＲのＥＯＴＦ変換を行うことで、疑似ＨＤＲ映像を生成する（Ｓ１０４）。つまり、逆ＳＤＲのＥＯＴＦ変換部１０４は、ＨＤＲの輝度範囲における輝度値と、複数の第３コード値とを関係付けた第３関係情報であるＳＤＲ（Ｓｔａｎｄａｒｄ  Ｄｙｎａｍｉｃ  Ｒａｎｇｅ）の逆ＥＯＴＦ（Ｅｌｅｃｔｒｏ−Ｏｐｔｉｃａｌ  Ｔｒａｎｓｆｅｒ  Ｆｕｎｃｔｉｏｎ）を用いて、決定したＳＤＲの輝度値を量子化し、量子化により得られた第３コード値を決定し、ＳＤＲの輝度範囲に対応するＳＤＲの輝度値を、第３コード値を示す第３輝度信号としてのＳＤＲ信号へ変換することで、疑似ＨＤＲ信号を生成する。なお、第３コード値は、ＳＤＲに対応したコード値であり、以下では、「ＳＤＲのコード値」という。つまり、ＳＤＲ信号は、ＳＤＲの輝度範囲における輝度値と、複数のＳＤＲのコード値とを関係付けたＳＤＲの逆ＥＯＴＦを用いて、映像の輝度値が量子化されることで得られたＳＤＲのコード値で表される。そして、変換装置１００は、ステップＳ１０４で生成した疑似ＨＤＲ信号（ＳＤＲ信号）を表示装置２００へ出力する。
【００９７】
変換装置１００は、ＨＤＲ信号を逆量子化することで得られたＨＤＲの輝度値に対して、第１輝度変換および第２輝度変換を行うことで、疑似ＨＤＲに対応したＳＤＲの輝度値を生成し、ＳＤＲの輝度値をＳＤＲのＥＯＴＦを用いて量子化することで、疑似ＨＤＲに対応したＳＤＲ信号を生成する。なお、ＳＤＲの輝度値は、ＳＤＲに対応した０〜１００ｎｉｔの輝度範囲内の数値であるが、ディスプレイの輝度範囲に基づく変換を行っているため、ＨＤＲの輝度値に対してＨＤＲのＥＯＴＦおよびＳＤＲのＥＯＴＦを用いた輝度変換を行うことで得られたＳＤＲに対応した０〜１００ｎｉｔの輝度範囲内の輝度値とは異なる数値である。
【００９８】
次に、表示装置２００が行う表示方法について、図１２を用いて説明する。なお、表示方法は、以下で説明するステップＳ１０５〜ステップＳ１０８を含む。
【００９９】
まず、表示装置２００の表示設定部２０１は、変換装置１００から取得した設定情報を用いて、表示装置２００の表示設定を設定する（Ｓ１０５）。ここで、表示装置２００は、ＳＤＲＴＶである。設定情報は、表示装置に対して推奨する表示設定を示す情報であり、疑似ＨＤＲ映像をどのようにＥＯＴＦし、どの設定で表示すれば美しい映像を表示することができるかを示す情報（つまり、表示装置２００の表示設定を最適な表示設定に切り替えるための情報）である。設定情報は、例えば、表示装置における出力時のガンマカーブ特性や、リビングモード（ノーマルモード）やダイナミックモード等の表示モード、バックライト（明るさ）の数値などを含む。また、ユーザに、表示装置２００の表示設定をマニュアル操作で変更することを促すようなメッセージを、表示装置２００（以下、「ＳＤＲディスプレイ」ともいう）に表示してもよい。詳細は後述する。
【０１００】
なお、表示装置２００は、ステップＳ１０５の前に、ＳＤＲ信号（疑似ＨＤＲ信号）と、映像の表示にあたって表示装置２００に対して推奨する表示設定を示す設定情報とを取得する。
【０１０１】
また、表示装置２００は、ＳＤＲ信号（疑似ＨＤＲ信号）の取得を、ステップＳ１０６の前に行えばよく、ステップＳ１０５の後に行ってもよい。
【０１０２】
次に、表示装置２００のＳＤＲのＥＯＴＦ変換部２０２は、取得した疑似ＨＤＲ信号に対し、ＳＤＲのＥＯＴＦ変換を行う（Ｓ１０６）。つまり、ＳＤＲのＥＯＴＦ変換部２０２は、ＳＤＲ信号（疑似ＨＤＲ信号）を、ＳＤＲのＥＯＴＦを用いて逆量子化を行う。これにより、ＳＤＲのＥＯＴＦ変換部２０２は、ＳＤＲ信号が示すＳＤＲのコード値を、ＳＤＲの輝度値に変換する。
【０１０３】
そして、表示装置２００の輝度変換部２０３は、表示装置２００に設定された表示モードに応じた輝度変換を行う。これにより、輝度変換部２０３は、ＳＤＲの輝度範囲（０〜１００〔ｎｉｔ〕）に対応したＳＤＲの輝度値を、ディスプレイの輝度範囲（０〜ＤＰＬ〔ｎｉｔ〕）に対応したディスプレイ輝度値に変換する第３輝度変換を行う（Ｓ１０７）。詳細は後述する。
【０１０４】
上記のことから、表示装置２００は、ステップＳ１０６およびステップＳ１０７において、取得したＳＤＲ信号（疑似ＨＤＲ信号）が示す第３コード値を、ステップＳ１０５で取得した設定情報を用いて、ディスプレイの輝度範囲（０〜ＤＰＬ〔ｎｉｔ〕）に対応するディスプレイ輝度値へ変換する。
【０１０５】
より具体的には、ＳＤＲ信号（疑似ＨＤＲ信号）からディスプレイ輝度値への変換では、ステップＳ１０６において、ＳＤＲの輝度範囲における輝度値と、複数の第３コード値とを関係付けたＥＯＴＦを用いて、取得したＳＤＲ信号が示すＳＤＲのコード値について、ＳＤＲのコード値にＳＤＲのＥＯＴＦで関係付けられたＳＤＲの輝度値を決定する。
【０１０６】
そして、ディスプレイ輝度値への変換では、ステップＳ１０７において、決定したＳＤＲの輝度値に予め関係付けられた、ディスプレイの輝度範囲に対応するディスプレイ輝度値を決定し、ＳＤＲの輝度範囲に対応するＳＤＲの輝度値を、ディスプレイの輝度範囲に対応するディスプレイ輝度値へ変換する第３輝度変換を行う。
【０１０７】
最後に、表示装置２００の表示部２０４は、変換したディスプレイ輝度値に基づいて、疑似ＨＤＲ映像を表示装置２００に表示する（Ｓ１０８）。
【０１０８】
［１−１３．第１輝度変換］
次に、ステップＳ１０２の第１輝度変換（ＨＰＬ→ＤＰＬ）の詳細について、図１３Ａを用いて説明する。図１３Ａは、第１輝度変換の一例について説明するための図である。
【０１０９】
変換装置１００の輝度変換部１０２は、ステップＳ１０１で得られたリニアな信号（ＨＤＲの輝度値）を、ディスプレイ特性情報と、ＨＤＲ映像のコンテンツ輝度情報とを用いて変換する第１輝度変換を行う。第１輝度変換は、ＨＤＲの輝度値（入力輝度値）を、ディスプレイピーク輝度（ＤＰＬ）を超えないディスプレイ輝度値（出力輝度値）に変換する。ＤＰＬは、ディスプレイ特性情報であるＳＤＲディスプレイの最大輝度および表示モードを用いて決定する。表示モードは、例えば、ＳＤＲディスプレイに暗めに表示するシアターモードや、明るめに表示するダイナミックモード等のモード情報である。表示モードが、例えば、ＳＤＲディスプレイの最大輝度が１，５００ｎｉｔであり、かつ、表示モードが最大輝度の５０％の明るさにするモードである場合、ＤＰＬは、７５０ｎｉｔとなる。ここで、ＤＰＬ（第２最大輝度値）とは、ＳＤＲディスプレイが現在設定されている表示モードにおいて表示できる輝度の最大値である。つまり、第１輝度変換では、ＳＤＲディスプレイの表示特性を示す情報であるディスプレイ特性情報を用いて、第２最大輝度値としてのＤＰＬを決定する。
【０１１０】
また、第１輝度変換では、コンテンツ輝度情報のうちのＣＡＬとＣＰＬとを用い、ＣＡＬ付近以下の輝度値は、変換の前後で同一とし、ＣＰＬ付近以上の輝度値に対してのみ輝度値を変更する。つまり、図１３Ａに示すように、第１輝度変換では、当該ＨＤＲの輝度値がＣＡＬ以下の場合、当該ＨＤＲの輝度値を変換せず、当該ＨＤＲの輝度値を、ディスプレイ輝度値として決定し、当該ＨＤＲの輝度値がＣＰＬ以上の場合、第２最大輝度値としてのＤＰＬを、ディスプレイ輝度値として決定する。
【０１１１】
また、第１輝度変換では、輝度情報のうちのＨＤＲ映像のピーク輝度（ＣＰＬ）を用い、ＨＤＲの輝度値がＣＰＬの場合、ＤＰＬを、ディスプレイ輝度値として決定する。
【０１１２】
なお、第１輝度変換では、図１３Ｂのように、ステップＳ１０１で得られたリニアな信号（ＨＤＲの輝度値）を、ＤＰＬを超えない値にクリップするように変換してもよい。このような輝度変換を行うことで、変換装置１００での処理を簡素化することができ、装置の縮小化、低電力化、処理の高速化が図れる。なお、図１３Ｂは、第１輝度変換の他の一例について説明するための図である。
【０１１３】
［１−１４．第２輝度変換］
次に、ステップＳ１０３の第２輝度変換（ＤＰＬ→１００〔ｎｉｔ〕）の詳細について、図１４を用いて説明する。図１４は、第２輝度変換について説明するための図である。
【０１１４】
変換装置１００の逆輝度変換部１０３は、ステップＳ１０２の第１輝度変換で変換されたディスプレイの輝度範囲（０〜ＤＰＬ〔ｎｉｔ〕）のディスプレイ輝度値に対し、表示モードに応じた逆輝度変換を施す。逆輝度変換は、ＳＤＲディスプレイによる表示モードに応じた輝度変換処理（ステップＳ１０７）が行われた場合に、ステップＳ１０２処理後のディスプレイの輝度範囲（０〜ＤＰＬ〔ｎｉｔ〕）のディスプレイ輝度値を取得できるようにするための処理である。つまり、第２輝度変換は、第３輝度変換の逆輝度変換である。
【０１１５】
上記の処理により、第２輝度変換は、ディスプレイの輝度範囲のディスプレイ輝度値（入力輝度値）を、ＳＤＲの輝度範囲のＳＤＲの輝度値（出力輝度値）に変換する。
【０１１６】
第２輝度変換では、ＳＤＲディスプレイの表示モードによって変換式を切り替える。例えば、ＳＤＲディスプレイの表示モードがノーマルモードの場合、ディスプレイ輝度値に正比例する正比例値に輝度変換する。また、第２輝度変換では、ＳＤＲディスプレイの表示モードがノーマルモードよりも高輝度画素をより明るく、かつ、低輝度画素をより暗くするダイナミックモードの場合、その逆関数を用いることで、低輝度画素のＳＤＲの輝度値は、ディスプレイ輝度値に正比例する正比例値より高い値に、高輝度画素のＳＤＲの輝度値は、ディスプレイ輝度値に正比例する正比例値より低い値に輝度変換する。つまり、第２輝度変換では、ステップＳ１０２において決定したディスプレイ輝度値について、ＳＤＲディスプレイの表示特性を示す情報であるディスプレイ特性情報に応じた輝度関係情報を用いて、当該ディスプレイ輝度値に関係付けられた輝度値をＳＤＲの輝度値として決定し、ディスプレイ特性情報に応じて輝度変換処理を切り替える。ここで、ディスプレイ特性情報に応じた輝度関係情報とは、例えば図１４に示すような、ＳＤＲディスプレイの表示パラメータ（表示モード）毎に定められた、ディスプレイ輝度値（入力輝度値）と、ＳＤＲの輝度値（出力輝度値）とを関係付けた情報である。
【０１１７】
［１−１５．表示設定］
次に、ステップＳ１０５の表示設定の詳細について、図１５を用いて説明する。図１５は、表示設定の詳細な処理を示すフローチャートである。
【０１１８】
ＳＤＲディスプレイの表示設定部２０１は、ステップＳ１０５において、下記のステップＳ２０１〜ステップＳ２０８の処理を行う。
【０１１９】
まず、表示設定部２０１は、設定情報を用いて、ＳＤＲディスプレイに設定されているＥＯＴＦ（ＳＤＲディスプレイ用ＥＯＴＦ）が、疑似ＨＤＲ映像（ＳＤＲ信号）の生成時に想定したＥＯＴＦと整合しているかどうかを判定する（Ｓ２０１）。
【０１２０】
表示設定部２０１は、ＳＤＲディスプレイに設定されているＥＯＴＦが、設定情報が示すＥＯＴＦ（疑似ＨＤＲ映像に整合するＥＯＴＦ）と異なっていると判定した場合（Ｓ２０１でＹｅｓ）、ＳＤＲディスプレイ用ＥＯＴＦをシステム側で切り替え可能かを判定する（Ｓ２０２）。
【０１２１】
表示設定部２０１は、切り替え可能であると判定した場合、設定情報を用いて、ＳＤＲディスプレイ用ＥＯＴＦを適切なＥＯＴＦに切り替える（Ｓ２０３）。
【０１２２】
ステップＳ２０１〜ステップＳ２０３から、表示設定の設定（Ｓ１０５）では、ＳＤＲディスプレイに設定されているＥＯＴＦを、取得した設定情報に応じた推奨ＥＯＴＦに設定する。また、これにより、ステップＳ１０５の後に行われるステップＳ１０６では、推奨ＥＯＴＦを用いて、ＳＤＲの輝度値を決定することができる。
【０１２３】
システム側で切り替え可能でないと判定した場合（Ｓ２０２でＮｏ）、ＥＯＴＦをユーザがマニュアル操作で変更することを促すメッセージを画面に表示する（Ｓ２０４）。例えば、「表示ガンマを２．４に設定して下さい」というメッセージを画面に表示する。つまり、表示設定部２０１は、表示設定の設定（Ｓ１０５）において、ＳＤＲディスプレイに設定されているＥＯＴＦを切り替えできない場合、ＳＤＲディスプレイに設定されているＥＯＴＦ（ＳＤＲディスプレイ用ＥＯＴＦ）を、推奨ＥＯＴＦに切り替えることをユーザに促すためのメッセージを、ＳＤＲディスプレイに表示する。
【０１２４】
次に、ＳＤＲディスプレイでは、疑似ＨＤＲ映像（ＳＤＲ信号）を表示するが、表示の前に設定情報を用いてＳＤＲディスプレイの表示パラメータが設定情報に合っているかを判定する（Ｓ２０５）。
【０１２５】
表示設定部２０１は、ＳＤＲディスプレイに設定されている表示パラメータが、設定情報とは異なっていると判定した場合（Ｓ２０５でＹｅｓ）、ＳＤＲディスプレイの表示パラメータを、切り替え可能かを判定する（Ｓ２０６）。
【０１２６】
表示設定部２０１は、ＳＤＲディスプレイの表示パラメータを切り替え可能であると判定した場合（Ｓ２０６でＹｅｓ）、設定情報に合わせて、ＳＤＲディスプレイの表示パラメータを切り替える（Ｓ２０７）。
【０１２７】
ステップＳ２０４〜ステップＳ２０７から、表示設定の設定（Ｓ１０５）では、ＳＤＲディスプレイに設定されている表示パラメータを、取得した設定情報に応じた推奨表示パラメータに設定する。
【０１２８】
システム側で切り替え可能でないと判定した場合（Ｓ２０６でＮｏ）、ＳＤＲディスプレイに設定されている表示パラメータをユーザがマニュアル操作で変更することを促すメッセージを画面に表示する（Ｓ２０８）。例えば、「表示モードをダイナミックモードにし、バックライトを最大にして下さい」というメッセージを画面に表示する。つまり、設定（Ｓ１０５）では、ＳＤＲディスプレイに設定されている表示パラメータを切り替えできない場合、ＳＤＲディスプレイに設定されている表示パラメータを、推奨表示パラメータに切り替えることをユーザに促すためのメッセージを、ＳＤＲディスプレイに表示する。
【０１２９】
［１−１６．第３輝度変換］
次に、ステップＳ１０７の第３輝度変換（１００→ＤＰＬ〔ｎｉｔ〕）の詳細について、図１６を用いて説明する。図１６は、第３輝度変換について説明するための図である。
【０１３０】
表示装置２００の輝度変換部２０３は、ＳＤＲの輝度範囲（０〜１００〔ｎｉｔ〕）のＳＤＲの輝度値をステップＳ１０５で設定された表示モードに応じて（０〜ＤＰＬ〔ｎｉｔ〕）に変換する。本処理はＳ１０３のモード毎の逆輝度変換の逆関数となるように処理する。
【０１３１】
第３輝度変換では、ＳＤＲディスプレイの表示モードによって変換式を切り替える。例えば、ＳＤＲディスプレイの表示モードがノーマルモードの場合（つまり、設定された表示パラメータがノーマルモードに対応したパラメータである場合）、ディスプレイ輝度値は、ＳＤＲの輝度値に正比例する正比例値に輝度変換する。また、第３輝度変換では、ＳＤＲディスプレイの表示モードがノーマルモードよりも高輝度画素をより明るく、かつ、低輝度画素をより暗くするダイナミックモードの場合、低輝度画素のディスプレイ輝度値は、ＳＤＲの輝度値に正比例する正比例値より低い値に、高輝度画素のディスプレイ輝度値は、ＳＤＲの輝度値に正比例する正比例値より高い値に輝度変換する。つまり、第３輝度変換では、ステップＳ１０６において決定したＳＤＲの輝度値について、ＳＤＲディスプレイの表示設定を示す表示パラメータに応じた輝度関係情報を用いて、当該ＳＤＲの輝度値に予め関係付けられた輝度値をディスプレイ輝度値として決定し、表示パラメータに応じて輝度変換処理を切り替える。ここで、表示パラメータに応じた輝度関係情報とは、例えば図１６に示すような、ＳＤＲディスプレイの表示パラメータ（表示モード）毎に定められた、ＳＤＲの輝度値（入力輝度値）と、ディスプレイ輝度値（出力輝度値）とを関係付けた情報である。
【０１３２】
［１−１７．効果等］
通常のＳＤＲＴＶは入力信号が１００ｎｉｔであるが、視聴環境（暗い室：シネマモード、明るい部屋：ダイナミックモード等）に合わせて２００ｎｉｔ以上の映像表現が可能な能力を持つ。しかし、ＳＤＲＴＶへの入力信号の輝度上限が１００ｎｉｔに決められていたため、その能力を直接つかうことはできなかった。
【０１３３】
ＨＤＲ映像をＳＤＲＴＶで表示する場合において、表示するＳＤＲＴＶのピーク輝度が１００ｎｉｔを超える（通常２００ｎｉｔ以上）ことを利用して、ＨＤＲ映像を１００ｎｉｔ以下のＳＤＲ映像に変換するのではなく、１００ｎｉｔを超える輝度範囲の階調をある程度保つように、「ＨＤＲ→疑似ＨＤＲ変換処理」を行っている。このため、元のＨＤＲに近い疑似ＨＤＲ映像としてＳＤＲＴＶに表示させることができる。
【０１３４】
この「ＨＤＲ→疑似ＨＤＲ変換処理」技術をＢｌｕ−ｒａｙ（登録商標）に応用した場合は、図１７に示すように、ＨＤＲディスクにはＨＤＲ信号のみを格納し、Ｂｌｕ−ｒａｙ（登録商標）機器にＳＤＲＴＶを接続した場合、Ｂｌｕ−ｒａｙ（登録商標）機器が、「ＨＤＲ→疑似ＨＤＲ変換処理」を行い、ＨＤＲ信号を疑似ＨＤＲ信号に変換してＳＤＲＴＶに送る。これにより、ＳＤＲＴＶは、受信した疑似ＨＤＲ信号から輝度値に変換することで、疑似的なＨＤＲ効果を持った映像を表示させることができる。このように、ＨＤＲ対応ＴＶが無い場合でも、ＨＤＲ対応のＢＤとＨＤＲ対応のＢｌｕ−ｒａｙ（登録商標）機器を用意すれば、ＳＤＲＴＶであっても、ＳＤＲ映像よりも高画質な疑似ＨＤＲ映像を表示させることができる。
【０１３５】
従って、ＨＤＲ映像を見るためにはＨＤＲ対応ＴＶが必要と考えられていたが、ＨＤＲ的な効果を実感できる疑似ＨＤＲ映像を、既存のＳＤＲＴＶで見ることができる。これにより、ＨＤＲ対応Ｂｌｕ−ｒａｙ（登録商標）の普及が期待できる。
【０１３６】
放送、Ｂｌｕ−ｒａｙ（登録商標）等のパッケージメディア、ＯＴＴ等のインターネット配信により送られてきたＨＤＲ信号を、ＨＤＲ−疑似ＨＤＲ変換処理を行うことで、疑似ＨＤＲ信号に変換する。これにより、ＨＤＲ信号を疑似ＨＤＲ映像として既存のＳＤＲＴＶで表示することが可能となる。
【０１３７】
（実施の形態２）
以上のように、本出願において開示する技術の例示として、実施の形態１を説明した。しかしながら、本開示における技術は、これに限定されず、適宜、変更、置き換え、付加、省略などを行った実施の形態１にも適用可能である。また、上記実施の形態１で説明した各構成要素を組み合わせて、新たな実施の形態とすることも可能である。
【０１３８】
そこで、以下では、他の実施の形態を実施の形態２として例示する。
【０１３９】
ＨＤＲ映像は、例えばＢｌｕ−ｒａｙ（登録商標）  Ｄｉｓｃ、ＤＶＤ、インターネットの動画配信サイト、放送、ＨＤＤ内の映像である。
【０１４０】
変換装置１００（ＨＤＲ→疑似ＨＤＲ変換処理部）は、ディスクプレイヤー、ディスクレコーダ、セットトップボックス、テレビ、パソコン、スマートフォンの内部に存在していてもよい。変換装置１００は、インターネット内のサーバ装置の内部に存在していてもよい。
【０１４１】
表示装置２００（ＳＤＲ表示部）は、例えばテレビ、パソコン、スマートフォンである。
【０１４２】
変換装置１００が取得するディスプレイ特性情報は、表示装置２００からＨＤＭＩ（登録商標）や他の通信プロトコルを用いてＨＤＭＩ（登録商標）ケーブルやＬＡＮケーブルを介して取得してもよい。変換装置１００が取得するディスプレイ特性情報は、インターネットを介して表示装置２００の機種情報等に含まれるディスプレイ特性情報を取得してもよい。また、ユーザがマニュアル操作を行い、ディスプレイ特性情報を、変換装置１００に設定してもよい。また、変換装置１００のディスプレイ特性情報の取得は、疑似ＨＤＲ映像生成（ステップＳ１０１〜Ｓ１０４）時の直前でもよいし、機器の初期設定時やディスプレイ接続時のタイミングでもよい。例えば、ディスプレイ特性情報の取得は、ディスプレイ輝度値への変換の直前に行ってもよいし、変換装置１００がＨＤＭＩ（登録商標）ケーブルで最初に表示装置２００に接続したタイミングで行ってもよい。
【０１４３】
また、ＨＤＲ映像のＣＰＬやＣＡＬは、コンテンツ１つに対して１つでもよいし、シーン毎に存在していてもよい。つまり、変換方法では、映像の複数のシーンのそれぞれに対応した輝度情報であって、当該シーン毎に、当該シーンを構成する複数の画像に対する輝度値のうちの最大値である第１最大輝度値と、当該シーンを構成する複数の画像に対する輝度値の平均である平均輝度値との少なくとも一方を含む輝度情報（ＣＰＬ、ＣＡＬ）を取得し、第１輝度変換では、複数のシーンのそれぞれについて、当該シーンに対応した輝度情報に応じてディスプレイ輝度値を決定してもよい。
【０１４４】
また、ＣＰＬおよびＣＡＬは、ＨＤＲ映像と同じ媒体（Ｂｌｕ−ｒａｙ（登録商標）  Ｄｉｓｃ、ＤＶＤ等）に同梱していてもよいし、変換装置１００がインターネットから取得する等、ＨＤＲ映像とは別の場所から取得してもよい。つまり、ＣＰＬおよびＣＡＬの少なくとも一方を含む輝度情報を映像のメタ情報として取得してもよいし、ネットワーク経由で取得してもよい。
【０１４５】
また、変換装置１００の第１輝度変換（ＨＰＬ→ＤＰＬ）において、ＣＰＬ、ＣＡＬ、およびディスプレイピーク輝度（ＤＰＬ）は使用せずに、固定値を用いてもよい。また、その固定値を外部から変更可能にしてもよい。また、ＣＰＬ、ＣＡＬ、およびＤＰＬは、数種類で切り替えるようにしてもよく、例えば、ＤＰＬは２００ｎｉｔ、４００ｎｉｔ、８００ｎｉｔの３種類のみとするようにしてもよいし、ディスプレイ特性情報に最も近い値を使用するようにしてもよい。
【０１４６】
また、ＨＤＲのＥＯＴＦはＳＭＰＴＥ  ２０８４でなくてもよく、他の種類のＨＤＲのＥＯＴＦを用いてもよい。また、ＨＤＲ映像の最大輝度（ＨＰＬ）は１０，０００ｎｉｔでなくてもよく、例えば４，０００ｎｉｔや１，０００ｎｉｔでもよい。
【０１４７】
また、コード値のビット幅は、例えば１６，１４，１２，１０，８ｂｉｔでもよい。
【０１４８】
また、逆ＳＤＲのＥＯＴＦ変換は、ディスプレイ特性情報から決定するが、（外部からも変更可能な）固定の変換関数を用いてもよい。逆ＳＤＲのＥＯＴＦ変換は、例えばＲｅｃ．  ＩＴＵ−Ｒ  ＢＴ．１８８６で規定されている関数を用いてもよい。また、逆ＳＤＲのＥＯＴＦ変換の種類を数種類に絞り、表示装置２００の入出力特性に最も近いものを選択して使用するようにしてもよい。
【０１４９】
また、表示モードは、固定のモードを使うようにしてもよく、ディスプレイ特性情報の中に含めなくてもよい。
【０１５０】
また、変換装置１００は、設定情報を送信しなくてもよく、表示装置２００では固定の表示設定としてもよいし、表示設定を変更しなくてもよい。この場合、表示設定部２０１は不要となる。また、設定情報は、疑似ＨＤＲ映像かどうかのフラグ情報でもよく、例えば、疑似ＨＤＲ映像である場合は最も明るく表示する設定に変更するようにしてもよい。つまり、表示設定の設定（Ｓ１０５）では、取得した設定情報が、ＤＰＬを用いて変換された疑似ＨＤＲ映像を示す信号であることを示す場合、表示装置２００の明るさ設定を最も明るく表示する設定に切り替えてもよい。
【０１５１】
また、変換装置１００の第１輝度変換（ＨＰＬ→ＤＰＬ）は例えば次の算式で変換する。
【０１５２】
ここで、Ｌは、０〜１に正規化された輝度値を示し、Ｓ１、Ｓ２、ａ、ｂ、ＭはＣＡＬ、ＣＰＬ、およびＤＰＬに基づいて設定する値である。ｌｎは自然対数である。Ｖは０〜１に正規化された変換後の輝度値である。図１３Ａの例のように、ＣＡＬを３００ｎｉｔとし、ＣＰＬを２，０００ｎｉｔとし、ＤＰＬを７５０ｎｉｔとし、ＣＡＬ  ＋  ５０ｎｉｔまでは変換しないとし、３５０ｎｉｔ以上に対して変換する場合、それぞれの値は例えば次のような値となる。
【０１５３】
Ｓ１  ＝    ３５０／１００００
Ｓ２  ＝  ２０００／１００００
Ｍ    ＝    ７５０／１００００
ａ    ＝  ０．０２３
ｂ    ＝  Ｓ１  -  ａ＊ｌｎ（Ｓ１）  ＝  ０．１１２１０５
つまり、第１輝度変換では、ＳＤＲの輝度値が、平均輝度値（ＣＡＬ）と第１最大輝度値（ＣＰＬ）との間である場合、自然対数を用いて、当該ＨＤＲの輝度値に対応するディスプレイ輝度値を決定する。
【０１５４】
ＨＤＲ映像のコンテンツピーク輝度やコンテンツ平均輝度等の情報を用いてＨＤＲ映像を変換することにより、コンテンツに応じて変換式を変えることができ、ＨＤＲの階調をなるべく保つように変換することが可能となる。また、暗すぎる、明るすぎるといった悪影響を抑制することができる。具体的には、ＨＤＲ映像のコンテンツピーク輝度をディスプレイピーク輝度にマッピングすることにより、階調をなるべく保つようにしている。また、平均輝度付近以下の画素値を変えないことにより、全体的な明るさが変わらないようにしている。
【０１５５】
また、ＳＤＲディスプレイのピーク輝度値および表示モードを用いてＨＤＲ映像を変換することにより、ＳＤＲディスプレイの表示環境に応じて変換式を変えることができ、ＳＤＲディスプレイの性能に合わせて、ＨＤＲ感のある映像（疑似ＨＤＲ映像）を、元のＨＤＲ映像と同様の階調や明るさで表示することができる。具体的には、ＳＤＲディスプレイの最大輝度および表示モードによってディスプレイピーク輝度を決定し、そのピーク輝度値を超えないようにＨＤＲ映像を変換することにより、ＳＤＲディスプレイで表示可能な明るさまではＨＤＲ映像の階調をほとんど減らさずに表示し、表示不可能な明るさは表示可能な明るさまで輝度値を下げている。
【０１５６】
以上により、表示不可能な明るさ情報を削減し、表示可能な明るさの階調を落とさず、元のＨＤＲ映像に近い形で表示することが可能となる。例えば、ピーク輝度１，０００ｎｉｔのディスプレイ用には、ピーク輝度１，０００ｎｉｔに抑えた疑似ＨＤＲ映像に変換することにより、全体的な明るさを維持し、ディスプレイの表示モードによって輝度値は変わる。このため、ディスプレイの表示モードに応じて、輝度の変換式を変更するようにしている。もし、ディスプレイのピーク輝度よりも大きな輝度を疑似ＨＤＲ映像で許容すると、その大きな輝度をディスプレイ側でのピーク輝度に置き換えて表示する場合があり、その場合は元のＨＤＲ映像よりも全体的に暗くなる。逆にディスプレイのピーク輝度よりも小さな輝度を最大輝度として変換すると、その小さな輝度をディスプレイ側でのピーク輝度に置き換え、元のＨＤＲ映像よりも全体的に明るくなる。しかもディスプレイ側のピーク輝度よりも小さいためにディスプレイの階調に関する性能を最大限使っていないことになる。
【０１５７】
また、ディスプレイ側では、設定情報を用いて表示設定を切り替えることにより、疑似ＨＤＲ映像をよりよく表示することが可能となる。例えば、明るさを暗く設定している場合には高輝度表示ができないため、ＨＤＲ感が損なわれる。その場合には表示設定を変更するもしくは、変更してもらうよう促すメッセージを表示することにより、ディスプレイの性能を最大限引出し、高階調な映像を表示できるようにする。
【０１５８】
Ｂｌｕ−ｒａｙ（登録商標）などのコンテンツにおいては、ビデオ信号と字幕やメニューなどのグラフィックス信号は独立のデータとして多重化される。再生時には、それぞれを個別に復号し、復号結果を合成して表示する。具体的には、ビデオのプレーンの上に、字幕やメニューのプレーンが重畳される。
【０１５９】
ここで、ビデオ信号がＨＤＲであっても、字幕やメニューなどのグラフィックス信号はＳＤＲとなることがある。ビデオ信号のＨＰＬ→ＤＰＬ変換においては、下記の（ａ）および（ｂ）の２通りの変換が可能である。
【０１６０】
（ａ）グラフィックスの合成後にＨＰＬ→ＤＰＬ変換を実施する場合
１．  グラフィックスのＥＯＴＦをＳＤＲのＥＯＴＦからＨＤＲのＥＯＴＦに変換する。
２．  ＥＯＴＦ変換後のグラフィックスをビデオと合成する。
３．  合成結果に対して、ＨＰＬ→ＤＰＬ変換を実施する。
【０１６１】
（ｂ）グラフィックスの合成前にＨＰＬ→ＤＰＬ変換を実施する場合
１．  グラフィックスのＥＯＴＦをＳＤＲのＥＯＴＦからＨＤＲのＥＯＴＦに変換する。
２．  ビデオに対してＨＰＬ→ＤＰＬ変換を実施する。
３．  ＥＯＴＦ変換後のグラフィックスとＤＰＬ変換後のビデオとを合成する。
【０１６２】
なお、（ｂ）の場合１と２の順番は入れ替わってもよい。
【０１６３】
（ａ）および（ｂ）のいずれの方式においても、グラフィックスのピーク輝度は１００ｎｉｔとなるが、例えば、ＤＰＬが１０００ｎｉｔのような高輝度である場合には、グラフィックスの輝度が１００ｎｉｔのままでは、ＨＰＬ→ＤＰＬ変換後のビデオに対して、グラフィックスの輝度が低下することがある。特に、ビデオに重畳される字幕が暗くなるなどの弊害が想定される。従って、グラフィックスについても、ＤＰＬの値に応じて、輝度を変換してもよい。例えば、字幕の輝度については、ＤＰＬ値の何％の値に設定するなどを予め規定し、設定値に基づいて変換してもよい。メニューなどの字幕以外のグラフィックスについても同様に処理することができる。
【０１６４】
以上では、ＨＤＲ信号のみが格納されたＨＤＲディスクの再生動作について説明した。
【０１６５】
次に、図６ＢのＣａｓｅ２において示した、ＨＤＲ信号とＳＤＲ信号との両方が格納されたデュアルディスクに格納される多重化データについて図１８を用いて説明する。図１８は、デュアルディスクに格納される多重化データについて説明するための図である。
【０１６６】
デュアルディスクでは、図１８に示すように、ＨＤＲ信号とＳＤＲ信号とがそれぞれ異なる多重化ストリームとして格納される。例えば、Ｂｌｕ−ｒａｙ（登録商標）などの光ディスクにおいては、Ｍ２ＴＳと呼ばれるＭＰＥＧ−２  ＴＳベースの多重化方式により、ビデオやオーディオ、字幕、グラフィックスなど複数メディアのデータが１本の多重化ストリームとして格納される。これらの多重化ストリームは、プレイリストなどの再生制御用のメタデータから参照され、再生時にはプレーヤがメタデータを解析することで再生する多重化ストリーム、あるいは、多重化ストリームに格納される個別の言語のデータを選択する。本例では、ＨＤＲ用とＳＤＲ用とのプレイリストを個別に格納し、それぞれのプレイリストがＨＤＲ信号、あるいは、ＳＤＲ信号を参照するケースを示す。また、ＨＤＲ信号とＳＤＲ信号の両方が格納されていることを示す識別情報などを別途示しても良い。
【０１６７】
同一の多重化ストリームにＨＤＲ信号とＳＤＲ信号との両方を多重化することも可能であるが、ＭＰＥＧ−２  ＴＳにおいて規定されるＴ−ＳＴＤ（Ｓｙｓｔｅｍ  Ｔａｒｇｅｔ  Ｄｅｃｏｄｅｒ）などのバッファモデルを満たすように多重化する必要があり、特に、予め定められたデータの読み出しレートの範囲内で、ビットレートの高いビデオを２本多重化するのは困難である。このため、多重化ストリームを分離することが望ましい。
【０１６８】
オーディオ、字幕、あるいはグラフィックスなどのデータは、それぞれの多重化ストリームに対して格納する必要があり、１本に多重化する場合に比べてデータ量が増加する。ただし、データ量の増加は、圧縮率の高いビデオ符号化方式を用いてビデオのデータ量を削減することができる。例えば、従来のＢｌｕ−ｒａｙ（登録商標）において使用していたＭＰＥＧ−４  ＡＶＣを、ＨＥＶＣ（Ｈｉｇｈ  Ｅｆｆｉｃｉｅｎｃｙ  Ｖｉｄｅｏ  Ｃｏｄｉｎｇ）に変えることで、１．６〜２倍の圧縮率向上が見込まれる。また、デュアルディスクに格納するのは、２ＫのＨＤＲとＳＤＲとの組み合わせ、４ＫのＳＤＲと２ＫのＨＤＲとの組み合わせなど、２Ｋを２本、あるいは、２Ｋと４Ｋとの組合せとするなど、４Ｋを２本格納することは禁止することにより、光ディスクの容量に収まる組合せのみを許容してもよい。
【０１６９】
図１９は、デュアルディスクの再生動作を示すフローチャートである。
【０１７０】
まず、再生装置は、再生対象の光ディスクがデュアルディスクであるかどうかを判定する（Ｓ３０１）。そして、デュアルディスクであると判定した場合（Ｓ３０１でＹｅｓ）、出力先のＴＶがＨＤＲＴＶかＳＤＲＴＶであるかを判定する（Ｓ３０２）。ＨＤＲＴＶであると判定した場合（Ｓ３０２でＹｅｓ）にはステップＳ３０３に進み、ＳＤＲＴＶであると判定した場合（Ｓ３０２でＮｏ）にはステップＳ３０４に進む。ステップＳ３０３では、デュアルディスク内のＨＤＲ信号を含む多重化ストリームからＨＤＲのビデオ信号を取得して、復号し、ＨＤＲＴＶに対して出力する。ステップＳ３０４では、デュアルディスク内のＳＤＲ信号を含む多重化ストリームからＳＤＲのビデオ信号を取得して、復号し、ＳＤＲＴＶに対して出力する。なお、ステップＳ３０１において再生対象がデュアルディスクでないと判定された場合（Ｓ３０１でＮｏ）には、所定の方法により再生可否の判定を行い、判定結果に基づいて再生方法を決定する（Ｓ３０５）。
【０１７１】
本開示の変換方法では、ＨＤＲ映像をＳＤＲＴＶで表示する場合において、表示するＳＤＲＴＶのピーク輝度が１００ｎｉｔを超える（通常２００ｎｉｔ以上）ことを利用して、ＨＤＲ映像を１００ｎｉｔ以下のＳＤＲ映像に変換するのではなく、１００ｎｉｔを超える領域の階調をある程度保つよう変換し、元のＨＤＲに近い疑似ＨＤＲ映像に変換してＳＤＲＴＶに表示させることができる「ＨＤＲ→疑似ＨＤＲ変換処理」を実現する。
【０１７２】
また、変換方法では、ＳＤＲＴＶのディスプレイ特性（最高輝度、入出力特性、および表示モード）によって「ＨＤＲ→疑似ＨＤＲ変換処理」の変換方法を切り替えてもよい。
【０１７３】
ディスプレイ特性情報の取得方法としては、（１）ＨＤＭＩ（登録商標）やネットワークを通して自動取得すること、（２）ユーザにメーカー名、品番等の情報入力させることで生成すること、および（３）メーカー名や品番等の情報を使ってクラウド等から取得することが考えられる。
【０１７４】
また、変換装置１００のディスプレイ特性情報の取得タイミングとしては、（１）疑似ＨＤＲ変換する直前に取得すること、および（２）表示装置２００（ＳＤＲＴＶ等）と初めて接続する時（接続が確立した時）に取得することが考えられる。
【０１７５】
また、変換方法では、ＨＤＲ映像の輝度情報（ＣＡＬ、ＣＰＬ）によって変換方法を切り替えてもよい。
【０１７６】
例えば、変換装置１００のＨＤＲ映像の輝度情報の取得方法としては、（１）ＨＤＲ映像に付随したメタ情報として取得すること、（２）ユーザにコンテンツのタイトル情報を入力させることで取得すること、および（３）ユーザに有力させた入力情報を使ってクラウド等から取得すること等が考えられる。
【０１７７】
また、変換方法の詳細としては、（１）ＤＰＬを超えないように変換し、（２）ＣＰＬがＤＰＬになるように変換し、（３）ＣＡＬおよびその周辺以下の輝度は変更せず、（４）自然対数を用いて変換し、（５）ＤＰＬでクリップ処理をする。
【０１７８】
また、変換方法では、疑似ＨＤＲの効果を高めるために、ＳＤＲＴＶの表示モード、表示パラメータなどの表示設定を、表示装置２００に送信して切り替えることも可能であり、例えば、ユーザに表示設定を促すメッセージを画面に表示してもよい。
【０１７９】
（実施の形態３）
［３−１．ディスクの種類］
以下、実施の形態３について説明する。上述のように、表示装置が高解像度化及び高輝度範囲化されることで、表示装置の仕様に合わせた複数種別のＢｌｕ−ｒａｙ  Ｄｉｓｃ（以下、ＢＤと記載する）を提供する。図２０は、ＢＤの種類を示す図である。図２１は、ＢＤの種類をさらに詳細に示す図である。再生装置（Ｂｌｕ−ｒａｙ機器）は、挿入されたＢＤに記録されたコンテンツを再生して表示装置に表示する。図２０及び図２１に示されるように、以下の実施の形態３においては、解像度が第１解像度であり、輝度範囲が第１輝度範囲である映像信号が記録されたＢＤは、２Ｋ＿ＳＤＲ対応ＢＤと記載する（図２１の（ａ））。解像度が第１解像度であり、輝度範囲が第１輝度範囲である映像信号は、ＢＤにストリームとして格納される。このストリームは、２Ｋ＿ＳＤＲストリームと記載する。２Ｋ＿ＳＤＲ対応ＢＤは、従来のＢＤである。
【０１８０】
また、解像度が第２解像度であり、輝度範囲が第１輝度範囲である映像信号が記録されたＢＤは、４Ｋ＿ＳＤＲ対応ＢＤと記載する。解像度が第２解像度であり、輝度範囲が第１輝度範囲である映像信号は、ＢＤにストリームとして格納される。このストリームは、４Ｋ＿ＳＤＲストリームと記載する（図２１の（ｂ））。
【０１８１】
同様に、解像度が第１解像度であり、輝度範囲が第２輝度範囲である映像信号が記録されたＢＤは、２Ｋ＿ＨＤＲ対応ＢＤと記載する。解像度が第１解像度であり、輝度範囲が第２輝度範囲である映像信号は、ＢＤにストリームとして格納される。このストリームは、２Ｋ＿ＨＤＲストリームと記載する（図２１の（ｄ））。
【０１８２】
また、解像度が第２解像度であり、輝度範囲が第２輝度範囲である映像信号が記録されたＢＤは、４Ｋ＿ＨＤＲ対応ＢＤと記載する。解像度が第２解像度であり、輝度範囲が第２輝度範囲である映像信号は、ＢＤにストリームとして格納される。このストリームは、４Ｋ＿ＨＤＲストリームと記載する（図２１の（ｅ））。
【０１８３】
なお、第１解像度は、例えば、所謂２Ｋ（１９２０ｘ１０８０、２０４８ｘ１０８０）の解像度であるが、このような解像度を含む任意の解像度であってよい。実施の形態３においては、第１解像度を単に２Ｋと記載する場合がある。
【０１８４】
また、第２解像度は、所謂４Ｋ（３８４０ｘ２１６０、４０９６ｘ２１６０）の解像度であるが、このような解像度を含む任意の解像度であってよい。第２解像度は、第１解像度より画素数が多い解像度である。
【０１８５】
なお、第１輝度範囲は、例えば、これまで説明したＳＤＲ（ピーク輝度が１００ｎｉｔの輝度範囲）である。第２輝度範囲は、例えば、これまで説明したＨＤＲ（ピーク輝度が１００ｎｉｔを超える輝度範囲）である。第２輝度範囲は、第１輝度範囲を全て含み、第２輝度範囲のピーク輝度は、第１輝度範囲のピーク輝度よりも大きい。
【０１８６】
図２１の（ｃ）、（ｆ）、（ｇ）、及び（ｈ）に示されるように、１枚のＢＤで複数の映像表現に対応したデュアルストリームディスクが考えられる。デュアルストリームディスクは、同一のコンテンツを再生するための複数の映像信号であって、解像度及び輝度範囲の少なくとも一方が異なる複数の映像信号が記録されたＢＤである。
【０１８７】
具体的には、図２１の（ｃ）に示されるデュアルストリームディスクは、４Ｋ＿ＳＤＲストリームと、２Ｋ＿ＳＤＲストリームとが記録されたＢＤである。図２１の（ｆ）に示されるデュアルストリームディスクは、２Ｋ＿ＨＤＲストリームと、２Ｋ＿ＳＤＲストリームとが記録されたＢＤである。
【０１８８】
図２１の（ｇ）に示されるデュアルストリームディスクは、４Ｋ＿ＨＤＲストリームと、４Ｋ＿ＳＤＲストリームとが記録されたＢＤである。図２１の（ｈ）に示されるデュアルストリームディスクは、４Ｋ＿ＨＤＲストリームと、２Ｋ＿ＳＤＲストリームとが記録されたＢＤである。
【０１８９】
なお、図２１の（ｃ）に示されるデュアルストリームディスクは、Ｂｌｕ−ｒａｙ機器が４Ｋから２Ｋの解像度のダウンコンバージョン（以下、ダウンコンバートとも記載する）を行うことが可能であるため、必須でない。
【０１９０】
［３−２．ディスク容量］
ここで、以上説明したような各ＢＤについて、図２２及び図２３を用いて補足する。図２２及び図２３は、ＢＤに記録されるデータ容量を示す図である。
【０１９１】
図２２及び図２３は、各ＢＤとデュアルストリームディスクで実際に使われるストリームのデータ容量を例示する。
【０１９２】
図２２は、解像度が２Ｋのストリーム（２Ｋ＿ＳＤＲストリーム及び２Ｋ＿ＨＤＲストリーム）が、ＭＰＥＧ−４  ＡＶＣを用いて圧縮されている場合を例示している。Movie length、lossless Audio、Compressed Audioのビットレートは、下記のようになる。なお、ＢＤは、language個数分の音声ストリーム（Lossless AudioおよびCompressed Audio）を記録する。
【０１９３】
Movie length: 150min (14 -18 mbps)
Lossless Audio: 0 -2 language (4.5mbps)
Compressed Audio: 3 -5 language (1.5mbps)
この場合、必要なディスク容量の最大値（Ａ）、中間値（Ｂ）、及び最小値（Ｃ）は、以下のようになる。
【０１９４】
（Ａ）(18+4.5*2+1.5*5)mbps*(150*60)s/8 = 38.8 GB
（Ｂ）(16+4.5*1+1.5*3)mbps*(150*60)s/8 = 28.1 GB
（Ｃ）(14+4.5*0+1.5*3)mbps*(150*60)s/8 = 20.8 GB
また、解像度が４Ｋのストリーム（４Ｋ＿ＳＤＲストリーム及び４Ｋ＿ＨＤＲストリーム）が、ＨＥＶＣを用いて圧縮されている場合を例示している。Movie length、lossless Audio、Compressed Audioのビットレートは、下記のようになる。
【０１９５】
Movie length: 150min (35 -40mbps)
Lossless Audio: 0 -2 language (4.5mbps)
Compressed Audio: 3 -6 language (1.5mbps)
この場合、必要なディスク容量の最大値（ａ）、中間値（ｂ）、及び最小値（ｃ）は、以下のようになる。
【０１９６】
（ａ）(40+4.5*2+1.5*5)mbps*(150*60)s/8 = 63.6 GB
（ｂ）(37+4.5*0+1.5*4)mbps*(150*60)s/8 = 48.4 GB
（ｃ）(35+4.5*0+1.5*3)mbps*(150*60)s/8 = 44.4 GB
ここで、ＭＰＥＧ−４  ＡＶＣを用いて圧縮された２Ｋ＿ＨＤＲストリームと、ＭＰＥＧ−４  ＡＶＣを用いて圧縮された２Ｋ＿ＳＤＲストリームとの両方が記録されたデュアルストリームディスクに必要なディスク容量は、上記（Ａ）＋（Ａ）、（Ｂ）＋（Ｂ）、及び、（Ｃ）＋（Ｃ）により求められる。具体的には、最大値７７．６ＧＢ、中間値５６．２ＧＢ、及び、最小値４１．６ＧＢとなる。
【０１９７】
従来の５０ＧＢに加えて、６６ＧＢ、１００ＧＢのディスクを対象としているため、上記のようなデュアルストリームディスクも容量の面においては実現可能である。
【０１９８】
なお、ＨＥＶＣを用いて圧縮された４Ｋ＿ＨＤＲストリームと、ＨＥＶＣを用いて圧縮された２Ｋ＿ＨＤＲストリームとの両方が記録されたデュアルストリームディスクに必要なディスク容量は、上記（ｂ）＋（ｂ）に基づけば９６．８ＧＢであり、上記（ｃ）＋（ｃ）に基づけば８８．８ＧＢである。このため、このようなデュアルストリームディスクは、１００ＧＢの容量のディスクにより実現可能である。
【０１９９】
同様に、ＨＥＶＣを用いて圧縮された４Ｋ＿ＨＤＲストリームと、ＭＰＥＧ−４  ＡＶＣを用いて圧縮された２Ｋ＿ＳＤＲストリームとの両方が記録されたデュアルストリームディスクに必要なディスク容量は、上記（ａ）＋（Ｂ）に基づけば９１．７ＧＢであり、上記（ｃ）＋（Ｃ）に基づけば６５．２ＧＢである。このため、このようなデュアルストリームディスクは、１００ＧＢの容量のディスクまたは６６ＧＢの容量のディスクにより実現可能である。
【０２００】
さらに、図２３を用いて別の例について説明する。図２３は、解像度が２Ｋのストリーム（２Ｋ＿ＳＤＲストリーム及び２Ｋ＿ＨＤＲストリーム）が、ＨＥＶＣを用いて圧縮されている場合を例示している。Movie length、lossless Audio、Compressed Audioのビットレートは、下記のようになる。
【０２０１】
Movie length: 150min (7 - 9 mbps)
Lossless Audio: 0 - 2 language (4.5mbps)
Compressed Audio: 3 - 5 language (1.5mbps)
この場合、必要なディスク容量の最大値（Ａ）、中間値（Ｂ）、及び最小値（Ｃ）は、以下のようになる。
【０２０２】
（α）(9+4.5*2+1.5*5)mbps*(150*60)s/8 = 25.3 GB
（β）(8+4.5*1+1.5*3)mbps*(150*60)s/8 = 19.1 GB
（γ）(7+4.5*0+1.5*3)mbps*(150*60)s/8 = 12.9 GB
ここで、ＨＥＶＣを用いて圧縮された２Ｋ＿ＨＤＲストリームと、ＨＥＶＣを用いて圧縮された２Ｋ＿ＳＤＲストリームとの両方が記録されたデュアルストリームディスクに必要なディスク容量は、上記（α）＋（α）、（β）＋（β）、及び、（γ）＋（γ）により求められる。具体的には、最大値５０．６ＧＢ、ｔｙｐ値３８．２ＧＢ、及び、最小値２５．８ＧＢとなる。
【０２０３】
従来の５０ＧＢに加えて、６６ＧＢ、１００ＧＢのディスクを対象としているため、上記のようなデュアルストリームディスクも容量の面においては実現可能である。
【０２０４】
同様に、ＨＥＶＣを用いて圧縮された４Ｋ＿ＨＤＲストリームと、ＨＥＶＣを用いて圧縮された２Ｋ＿ＳＤＲストリームとの両方が記録されたデュアルストリームディスクに必要なディスク容量は、上記（ａ）＋（α）に基づけば８８．９ＧＢであり、上記（ｂ）＋（β）に基づけば６７．５ＧＢであり、上記（ｂ）＋（γ）に基づけば６１．３ＧＢであり、上記（ｃ）＋（γ）に基づけば５７．３ＧＢである。このため、このようなデュアルストリームディスクは、１００ＧＢの容量のディスクまたは６６ＧＢの容量のディスクにより実現可能である。
【０２０５】
［３−３．ディスクの種類の詳細］
ＢＤには、より詳細にはビデオストリームと、グラフィックストリーム（実施の形態１のグラフィックスのストリーム）とが記録される。ここで、図２４は、デュアルストリームディスクを含む各ＢＤに対し、各ディスクに記録された、ビデオストリームとグラフィックストリームとの組み合わせの一例を示す図である。
【０２０６】
図２４は、コンテンツ（ＢＤ）の制作の手間を考慮して、グラフィックストリームは、対応するビデオストリームの解像度によらず、解像度が２Ｋで記録する。２Ｋ＿ＳＤＲストリームと４Ｋ＿ＳＤＲストリームとで、グラフィックストリームを共有することができる。ただし、グラフィックストリームは、対応するビデオストリームの輝度範囲に合わせた輝度範囲で記録する。ビデオストリームがＨＤＲの場合は、ＨＤＲのグラフィックスストリームを記録する。ビデオストリームがＳＤＲの場合は、ＳＤＲのグラフィックスストリームを記録する。グラフィックストリームのＳＤＲからＨＤＲへの変換は、コンテンツの制作時に行う。
【０２０７】
図２５は、デュアルストリームディスクを含む各ＢＤに対し、各ディスクに記録された、ビデオストリームとグラフィックストリームとの組み合わせの別の例を示す図である。
【０２０８】
図２５では、コンテンツの制作の手間を考慮して、グラフィックストリームは、対応するビデオストリームの解像度及び輝度範囲によらず、解像度が２Ｋ、かつ、輝度範囲がＳＤＲで記録する。２Ｋ＿ＳＤＲストリーム、４Ｋ＿ＳＤＲストリーム、２Ｋ＿ＨＤＲストリーム、及び、４Ｋ＿ＨＤＲストリーム全てで、グラフィックストリームを共有することができる。この場合は、グラフィックストリームの解像度の２Ｋから４Ｋへの変換、及び、グラフィックストリームの輝度範囲のＳＤＲからＨＤＲへの変換は、いずれもＢｌｕ−ｒａｙ機器で実行される。
【０２０９】
図２６は、デュアルストリームディスクを含む各ＢＤに対し、各ディスクに記録された、ビデオストリームとグラフィックストリームとの組み合わせのさらに別の例を示す図である。
【０２１０】
図２６は、Ｂｌｕ−ｒａｙ機器においてグラフィックストリームの変換が不要となるように、コンテンツの制作時に、グラフィックストリームの解像度及び輝度範囲は、対応するビデオストリームの解像度及び輝度範囲に合わされて記録する。
【０２１１】
［３−４．Ｂｌｕ−ｒａｙ機器の処理］
上述のように、各種ＢＤと、これらに対応した表示装置が混在すると、Ｂｌｕ−ｒａｙ機器は、当該Ｂｌｕ−ｒａｙ機器に挿入されたＢＤが、当該Ｂｌｕ−ｒａｙ機器に接続された表示装置において適切に表示されるように処理を行う必要がある。ここでの処理には、例えば、輝度範囲のＨＤＲからＳＤＲへの変換、解像度の２Ｋから４Ｋへのアップコンバート、及び、解像度の４Ｋから２Ｋへのダウンコンバートなどが含まれる。
【０２１２】
そして、上記のような処理が可能な新型のＢｌｕ−ｒａｙ機器は、表示装置に映像信号を送るときには、ＨＤＭＩ（登録商標）規格及びＨＤＣＰ規格を適切に選択する必要がある。具体的には、Ｂｌｕ−ｒａｙ機器は、３組のＨＤＭＩ／ＨＤＣＰ規格（ＨＤＭＩ１．４／ＨＤＣＰ１．４、ＨＤＭＩ２．０／ＨＤＣＰ２．１、ＨＤＭＩ２．１／ＨＤＣＰ２．２）をサポートし、表示装置の種別に応じて、使用するＨＤＭＩ／ＨＤＣＰ規格のバージョンを選択する。
【０２１３】
図２７は、各種ＢＤと、各種表示装置とに対応してＢｌｕ−ｒａｙ機器が行う処理内容を示す模式図である。
【０２１４】
図２７に示されるように、Ｂｌｕ−ｒａｙ機器３００は、当該Ｂｌｕ−ｒａｙ機器（再生装置）に接続された表示装置の種別に応じて、ＨＤＭＩのバージョン、及び、ＨＤＣＰのバージョンのそれぞれを選択する。また、Ｂｌｕ−ｒａｙ機器３００は、取得された映像信号をデコードし、デコードされた映像信号を、選択されたバージョンのＨＤＣＰを用いて暗号化し、かつ、選択されたバージョンのＨＤＭＩを用いて表示装置に出力する。
【０２１５】
なお、Ｂｌｕ−ｒａｙ機器３００は、例えば、Ｂｌｕ−ｒａｙ機器３００と表示装置とを接続するＨＤＭＩケーブルを通じて表示装置の種別を当該表示装置から取得する。また、表示装置の種別は、実施の形態１で説明したディスプレイ特性情報に含まれてもよい。また、ユーザがマニュアル操作でディスプレイ特性情報を、Ｂｌｕ−ｒａｙ機器３００に設定してもよい。なお、図示されないが、Ｂｌｕ−ｒａｙ機器３００は、表示装置の種別を取得する第一取得部を備えてもよい。
【０２１６】
また、表示装置の種別は、具体的には、２Ｋ＿ＳＤＲ対応ＴＶ、４Ｋ＿ＳＤＲ対応ＴＶ、２Ｋ＿ＨＤＲ対応ＴＶ、及び、４Ｋ＿ＨＤＲ対応ＴＶのうちの一つである。つまり、表示装置の種別は、解像度が上記第１解像度であり、かつ、上記第１輝度範囲に対応した表示装置を示す第１種別と、解像度が上記第２解像度であり、かつ、上記第１輝度範囲に対応した表示装置を示す第２種別と、解像度が上記第１解像度であり、かつ、上記第２輝度範囲に対応した表示装置を示す第３種別と、解像度が上記第２解像度であり、かつ、上記第２輝度範囲に対応した表示装置を示す第４種別の中の一つである。
【０２１７】
例えば、Ｂｌｕ−ｒａｙ機器３００に、２Ｋ＿ＳＤＲ対応ＴＶが接続されているときには、Ｂｌｕ−ｒａｙ機器３００は、ＨＤＭＩ１．４とＨＤＣＰ１．４とを使用して映像信号を出力する。つまり、Ｂｌｕ−ｒａｙ機器３００は、デコードされた映像信号を、ＨＤＣＰ１．４を用いて暗号化し、かつ、ＨＤＭＩ１．４に対応する通信プロトコルを用いて２Ｋ＿ＳＤＲ対応ＴＶに出力する。なお、ＨＤＭＩ２．０に対応する通信プロトコルとは、言い換えれば、ＨＤＭＩ２．０において規定される通信プロトコルである。
【０２１８】
このとき、挿入されたＢＤが４Ｋ＿ＳＤＲ対応ＢＤである場合は、解像度のダウンコンバートが必要であり、挿入されたＢＤが２Ｋ＿ＨＤＲ対応ＢＤである場合は、ＨＤＲからＳＤＲへの変換が必要であり、挿入された４Ｋ＿ＨＤＲ対応ＢＤである場合は、解像度のダウンコンバートとＨＤＲからＳＤＲへの変換の両方が必要である。
【０２１９】
なお、Ｂｌｕ−ｒａｙ機器３００に、２Ｋ＿ＳＤＲ対応ＴＶが接続されているときには、実施の形態１で説明した疑似ＨＤＲ変換が行われてもよい。
【０２２０】
例えば、Ｂｌｕ−ｒａｙ機器３００は、Ｂｌｕ−ｒａｙ機器３００に接続された表示装置のピーク輝度を取得する。Ｂｌｕ−ｒａｙ機器３００は、取得された表示装置の種別が第１種別（２Ｋ＿ＳＤＲ対応ＴＶ）であり、かつ、取得されたピーク輝度が第１輝度範囲のピーク輝度よりも大きい場合、映像信号を、取得されたピーク輝度を有する輝度範囲に変換した後、さらに第１輝度範囲に変換する。そして、Ｂｌｕ−ｒａｙ機器３００は、変換された映像信号を、ＨＤＣＰ１．４を用いて暗号化し、かつ、ＨＤＭＩ１．４に対応する通信プロトコルを用いて２Ｋ＿ＳＤＲ対応ＴＶに出力する。
【０２２１】
また、Ｂｌｕ−ｒａｙ機器３００に、４Ｋ＿ＳＤＲ対応ＴＶが接続されているときには、Ｂｌｕ−ｒａｙ機器３００は、ＨＤＭＩ２．０とＨＤＣＰ２．２とを使用して映像信号を出力する。つまり、Ｂｌｕ−ｒａｙ機器３００は、デコードされた映像信号を、ＨＤＣＰ２．２を用いて暗号化し、かつ、ＨＤＭＩ２．０に対応する通信プロトコルを用いて４Ｋ＿ＳＤＲ対応ＴＶに出力する。
【０２２２】
このとき、挿入されたＢＤが２Ｋ＿ＳＤＲ対応ＢＤの場合は、解像度のアップコンバートが必要であり、挿入されたＢＤが４Ｋ＿ＨＤＲ対応ＢＤの場合は、ＨＤＲからＳＤＲへの変換が必要であり、挿入されたＢＤが２Ｋ＿ＨＤＲ対応ＢＤの場合は、解像度のアップコンバートとＨＤＲからＳＤＲへの変換の両方が必要である。
【０２２３】
なお、Ｂｌｕ−ｒａｙ機器３００に、４Ｋ＿ＳＤＲ対応ＴＶが接続されているときには、実施の形態１で説明した疑似ＨＤＲ変換が行われてもよい。
【０２２４】
例えば、Ｂｌｕ−ｒａｙ機器３００は、Ｂｌｕ−ｒａｙ機器３００に接続された表示装置のピーク輝度を取得する。Ｂｌｕ−ｒａｙ機器３００は、取得された表示装置の種別が第種別（４Ｋ＿ＳＤＲ対応ＴＶ）であり、かつ、取得されたピーク輝度が第１輝度範囲のピーク輝度よりも大きい場合、映像信号を、取得されたピーク輝度を有する輝度範囲に変換した後、さらに第１輝度範囲に変換する。そして、Ｂｌｕ−ｒａｙ機器３００は、変換された映像信号を、ＨＤＣＰ２．２を用いて暗号化し、かつ、ＨＤＭＩ２．０に対応する通信プロトコルを用いて４Ｋ＿ＳＤＲ対応ＴＶに出力する。
【０２２５】
また、Ｂｌｕ−ｒａｙ機器３００に、２Ｋ＿ＨＤＲ対応ＴＶが接続されているときには、Ｂｌｕ−ｒａｙ機器３００は、ＨＤＭＩ２．１とＨＤＣＰ２．２とを使用して映像信号を出力する。つまり、Ｂｌｕ−ｒａｙ機器３００は、デコードされた映像信号を、ＨＤＣＰ２．２を用いて暗号化し、かつ、ＨＤＭＩ２．１に対応する通信プロトコルを用いて２Ｋ＿ＨＤＲ対応ＴＶに出力する。
【０２２６】
このとき、挿入されたＢＤが４Ｋ＿ＳＤＲ対応ＢＤである場合、及び、４Ｋ＿ＨＤＲ対応ＢＤの場合は、いずれも解像度のダウンコンバートが必要である。
【０２２７】
また、Ｂｌｕ−ｒａｙ機器３００に、４Ｋ＿ＨＤＲ対応ＴＶが接続されているときには、Ｂｌｕ−ｒａｙ機器は、ＨＤＭＩ２．１とＨＤＣＰ２．２とを使用して映像信号を出力する。つまり、Ｂｌｕ−ｒａｙ機器３００は、デコードされた映像信号を、ＨＤＣＰ２．２を用いて暗号化し、かつ、ＨＤＭＩ２．１に対応する通信プロトコルを用いて４Ｋ＿ＨＤＲ対応ＴＶに出力する。
【０２２８】
このとき、挿入されたＢＤが２Ｋ＿ＳＤＲ対応ＢＤである場合、及び、２Ｋ＿ＨＤＲ対応ＢＤである場合は、いずれも解像度のアップコンバートが必要となる。
【０２２９】
［３−５．Ｂｌｕ−ｒａｙ機器の処理詳細］
以下、Ｂｌｕ−ｒａｙ機器３００のＢＤ及び表示装置に応じた具体的な処理内容について説明する。なお、以下で説明される処理例はいずれも、Ｂｌｕ−ｒａｙ機器３００が、図２４に示される組合せでストリームが記録されたＢＤを再生する場合の処理例である。
【０２３０】
［３−５−１．処理例１］
図２８は、２Ｋ＿ＳＤＲストリームが記録されたＢＤを、Ｂｌｕ−ｒａｙ機器３００で再生する場合の具体的な処理内容を示す図である。
【０２３１】
図２８に示されるように、まず、ビデオストリームはビデオデコーダ３０１で、グラフィックストリームはグラフィックデコーダ３０２でそれぞれ再生（デコード）される。
【０２３２】
次に、ビデオデコーダ３０１によってデコードされたビデオストリームと、グラフィックデコーダ３０２によってデコードされたグラフィックストリームとの２つのデータがブレンド部３０３によって合成（ブレンド）される。
【０２３３】
そして、Ｂｌｕ−ｒａｙ機器３００に接続される表示装置に応じて、以下の処理が行われる。
【０２３４】
［１］Ｂｌｕ−ｒａｙ機器３００に、２Ｋ＿ＳＤＲ対応ＴＶが接続されているときには、Ｂｌｕ−ｒａｙ機器３００は、ブレンド部３０３による合成により得られる２Ｋ＿ＳＤＲの映像信号を、ＨＤＭＩ１．４とＨＤＣＰ１．４とを使用して２Ｋ＿ＳＤＲ対応ＴＶに送信する。
【０２３５】
［２］Ｂｌｕ−ｒａｙ機器３００に、２Ｋ＿ＨＤＲ対応ＴＶが接続されているときには、Ｂｌｕ−ｒａｙ機器３００は、ブレンド部３０３による合成により得られる２Ｋ＿ＳＤＲの映像信号を、ＨＤＭＩ１．４とＨＤＣＰ１．４とを使用して２Ｋ＿ＨＤＲ対応ＴＶに送信する。
【０２３６】
［３］Ｂｌｕ−ｒａｙ機器３００に、４Ｋ＿ＳＤＲ対応ＴＶが接続されているときには、Ｂｌｕ−ｒａｙ機器３００は、ブレンド部３０３による合成により得られる２Ｋ＿ＳＤＲの映像信号を、２Ｋ／４Ｋ変換部３０４によってアップコンバートすることで４Ｋ＿ＳＤＲの映像信号に変換し、変換した４Ｋ＿ＳＤＲの映像信号を、ＨＤＭＩ２．０とＨＤＣＰ２．２とを使用して４Ｋ＿ＳＤＲ対応ＴＶに送信する。
【０２３７】
［４］Ｂｌｕ−ｒａｙ機器３００に、４Ｋ＿ＨＤＲ対応ＴＶが接続されているときには、Ｂｌｕ−ｒａｙ機器３００は、ブレンド部３０３による合成により得られる２Ｋ＿ＳＤＲの映像信号を、２Ｋ／４Ｋ変換部３０４によってアップコンバートすることで４Ｋ＿ＳＤＲの映像信号に変換し、変換した４Ｋ＿ＳＤＲの映像信号を、ＨＤＭＩ２．０とＨＤＣＰ２．２とを使用して４Ｋ＿ＨＤＲ対応ＴＶに送信する。
【０２３８】
［３−５−２．処理例２］
図２９は、２Ｋ＿ＨＤＲストリームが記録されたＢＤを、Ｂｌｕ−ｒａｙ機器３００で再生する場合の具体的な処理内容を示す図である。
【０２３９】
図２９に示されるように、まず、ビデオストリームはビデオデコーダ３０１で、グラフィックストリームはグラフィックデコーダ３０２でそれぞれ再生（デコード）される。
【０２４０】
次に、ビデオデコーダ３０１によってデコードされたビデオストリームと、グラフィックデコーダ３０２によってデコードされたグラフィックストリームとの２つのデータがブレンド部３０３によって合成される。
【０２４１】
そして、Ｂｌｕ−ｒａｙ機器３００に接続される表示装置に応じて、以下の処理が行われる。
【０２４２】
［１］Ｂｌｕ−ｒａｙ機器３００に、２Ｋ＿ＳＤＲ対応ＴＶが接続されているときには、Ｂｌｕ−ｒａｙ機器３００は、ブレンド部３０３による合成により得られる２Ｋ＿ＨＤＲの映像信号を、ＨＤＲ／ＳＤＲ変換部３０５によって２Ｋ＿ＳＤＲの映像信号に変換し、変換した２Ｋ＿ＳＤＲの映像信号を、ＨＤＭＩ１．４とＨＤＣＰ１．４とを使用して２Ｋ＿ＳＤＲ対応ＴＶに送信する。
【０２４３】
［２］Ｂｌｕ−ｒａｙ機器３００に、２Ｋ＿ＨＤＲ対応ＴＶが接続されているときには、Ｂｌｕ−ｒａｙ機器３００は、ブレンド部３０３による合成により得られる２Ｋ＿ＨＤＲの映像信号をそのまま、ＨＤＭＩ２．１とＨＤＣＰ２．２とを使用して２Ｋ＿ＨＤＲ対応ＴＶに送信する。
【０２４４】
［３］Ｂｌｕ−ｒａｙ機器３００に、４Ｋ＿ＳＤＲ対応ＴＶが接続されているときには、Ｂｌｕ−ｒａｙ機器３００は、ＨＤＲ／ＳＤＲ変換部３０５による変換と、２Ｋ／４Ｋ変換部３０４によるアップコンバートを行い、ブレンド部３０３による合成により得られる２Ｋ＿ＨＤＲの映像信号を４Ｋ＿ＳＤＲの映像信号に変換し、変換した４Ｋ＿ＳＤＲの映像信号を、ＨＤＭＩ２．０とＨＤＣＰ２．２を使用して４Ｋ＿ＳＤＲ対応ＴＶに送信する。
【０２４５】
［４］Ｂｌｕ−ｒａｙ機器３００に、４Ｋ＿ＨＤＲ対応ＴＶが接続されているときには、Ｂｌｕ−ｒａｙ機器３００は、ブレンド部３０３による合成により得られる２Ｋ＿ＨＤＲの映像信号を、２Ｋ／４Ｋ変換部３０４によってアップコンバートすることで４Ｋ＿ＨＤＲの映像信号に変換し、変換した４Ｋ＿ＨＤＲの映像信号を、ＨＤＭＩ２．０とＨＤＣＰ２．２を使用して４Ｋ＿ＨＤＲ対応ＴＶに送信する。
【０２４６】
［３−５−３．処理例３］
図３０は、４Ｋ＿ＳＤＲストリーム（４Ｋ＿ＳＤＲビデオストリーム及び２Ｋ＿ＳＤＲグラフィックストリーム）が記録されたＢＤをＢｌｕ−ｒａｙ機器３００で再生する場合の具体的な処理内容を示す図である。
【０２４７】
図３０に示されるように、まず、ビデオストリームは、ビデオデコーダ３０１でデコードされる。一方、グラフィックストリームは、グラフィックデコーダ３０２でデコードされた上で２Ｋ／４Ｋ変換部３０６によってアップコンバートされる。
【０２４８】
次に、ビデオデコーダ３０１によってデコードされたビデオストリームと、グラフィックデコーダ３０２によってデコードされたグラフィックストリームとの２つのデータがブレンド部３０３によって合成される。
【０２４９】
そして、Ｂｌｕ−ｒａｙ機器３００に接続される表示装置に応じて、以下の処理が行われる。
【０２５０】
［１］Ｂｌｕ−ｒａｙ機器３００に、２Ｋ＿ＳＤＲ対応ＴＶが接続されているときには、Ｂｌｕ−ｒａｙ機器３００は、ブレンド部３０３による合成により得られる４Ｋ＿ＳＤＲの映像信号を、４Ｋ／２Ｋ変換部３０７によってダウンコンバートすることで２Ｋ＿ＳＤＲの映像信号に変換し、変換した２Ｋ＿ＳＤＲの映像信号を、ＨＤＭＩ１．４とＨＤＣＰ１．４とを使用して２Ｋ＿ＳＤＲ対応ＴＶに送信する。
【０２５１】
［２］Ｂｌｕ−ｒａｙ機器３００に、２Ｋ＿ＨＤＲ対応ＴＶが接続されているときには、Ｂｌｕ−ｒａｙ機器３００は、ブレンド部３０３による合成により得られる４Ｋ＿ＳＤＲの映像信号を、４Ｋ／２Ｋ変換部３０７によってダウンコンバートすることで２Ｋ＿ＳＤＲの映像信号に変換し、変換した２Ｋ＿ＳＤＲの映像信号を、ＨＤＭＩ１．４とＨＤＣＰ１．４とを使用して２Ｋ＿ＨＤＲ対応ＴＶに送信する。
【０２５２】
［３］Ｂｌｕ−ｒａｙ機器３００に、４Ｋ＿ＳＤＲ対応ＴＶが接続されているときには、Ｂｌｕ−ｒａｙ機器３００は、ブレンド部３０３による合成により得られる４Ｋ＿ＳＤＲの映像信号をそのまま、ＨＤＭＩ２．０とＨＤＣＰ２．２とを使用して４Ｋ＿ＳＤＲ対応ＴＶに送信する。
【０２５３】
［４］Ｂｌｕ−ｒａｙ機器３００に、４Ｋ＿ＨＤＲ対応ＴＶが接続されているときには、Ｂｌｕ−ｒａｙ機器３００は、ブレンド部３０３による合成により得られる４Ｋ＿ＳＤＲの映像信号をそのまま、ＨＤＭＩ２．０とＨＤＣＰ２．２とを使用して４Ｋ＿ＨＤＲ対応ＴＶに送信する。
【０２５４】
［３−５−４．処理例４］
図３１は、４Ｋ＿ＨＤＲストリーム（４Ｋ＿ＨＤＲビデオストリーム及び２Ｋ＿ＨＤＲグラフィックストリーム）が記録されたＢＤを、Ｂｌｕ−ｒａｙ機器３００で再生する場合の具体的な処理内容を示す図である。
【０２５５】
図３１に示されるように、まず、ビデオストリームは、ビデオデコーダ３０１でデコードされる。一方、グラフィックストリームは、グラフィックデコーダ３０２でデコードされた上で２Ｋ／４Ｋ変換部３０６によってアップコンバートされる。
【０２５６】
次に、ビデオデコーダ３０１によってデコードされたビデオストリームと、グラフィックデコーダ３０２によってデコードされたグラフィックストリームとの２つのデータがブレンド部３０３によって合成される。
【０２５７】
そして、Ｂｌｕ−ｒａｙ機器３００に接続される表示装置に応じて、以下の処理が行われる。
【０２５８】
［１］Ｂｌｕ−ｒａｙ機器３００に、２Ｋ＿ＳＤＲ対応ＴＶが接続されているときには、Ｂｌｕ−ｒａｙ機器３００は、ブレンド部３０３による合成により得られる４Ｋ＿ＨＤＲの映像信号を、ＨＤＲ／ＳＤＲ変換部３０５による変換と、４Ｋ／２Ｋ変換部３０７によるダウンコンバートとにより、２Ｋ＿ＳＤＲの映像信号に変換し、変換した２Ｋ＿ＳＤＲの映像信号を、ＨＤＭＩ１．４とＨＤＣＰ１．４とを使用して２Ｋ＿ＳＤＲ対応ＴＶに送信する。
【０２５９】
［２］Ｂｌｕ−ｒａｙ機器３００に、２Ｋ＿ＨＤＲ対応ＴＶが接続されているときには、Ｂｌｕ−ｒａｙ機器３００は、ブレンド部３０３による合成により得られる４Ｋ＿ＨＤＲの映像信号を、４Ｋ／２Ｋ変換部３０７によってダウンコンバートすることで２Ｋ＿ＨＤＲの映像信号に変換し、変換した２Ｋ＿ＨＤＲの映像信号を、ＨＤＭＩ２．１とＨＤＣＰ２．２とを使用して２Ｋ＿ＨＤＲ対応ＴＶに送信する。
【０２６０】
［３］Ｂｌｕ−ｒａｙ機器３００に、４Ｋ＿ＳＤＲ対応ＴＶが接続されているときには、Ｂｌｕ−ｒａｙ機器３００は、ＨＤＲ／ＳＤＲ変換部３０５による変換を行うことで、ブレンド部３０３による合成により得られる４Ｋ＿ＨＤＲの映像信号を２Ｋ＿ＳＤＲの映像信号に変換し、変換した２Ｋ＿ＳＤＲの映像信号を、ＨＤＭＩ２．１とＨＤＣＰ２．２とを使用して４Ｋ＿ＳＤＲ対応ＴＶに送信する。
【０２６１】
［４］Ｂｌｕ−ｒａｙ機器３００に、４Ｋ＿ＨＤＲ対応ＴＶが接続されているときには、Ｂｌｕ−ｒａｙ機器３００は、ブレンド部３０３による合成により得られる４Ｋ＿ＨＤＲの映像信号をそのまま、ＨＤＭＩ２．１とＨＤＣＰ２．２とを使用して４Ｋ＿ＨＤＲ対応ＴＶに送信する。
【０２６２】
［３−５−５．処理例５］
図３２は、２Ｋ＿ＨＤＲストリームと２Ｋ＿ＳＤＲストリームとが記録されたデュアルストリームディスクを、Ｂｌｕ−ｒａｙ機器３００で再生する場合の具体的な処理内容を示す図である。
【０２６３】
Ｂｌｕ−ｒａｙ機器３００は、当該Ｂｌｕ−ｒａｙ機器３００に接続される表示装置に応じて、デュアルストリームディスクから取り出すストリームを選択し、下記のような処理を実行する。
【０２６４】
［１］Ｂｌｕ−ｒａｙ機器３００に、２Ｋ＿ＳＤＲ対応ＴＶが接続されているときには、Ｂｌｕ−ｒａｙ機器３００は、デュアルストリームディスクから２Ｋ＿ＳＤＲストリームを取り出す。取り出された２Ｋ＿ＳＤＲストリームのうち、ビデオストリームはビデオデコーダ３０１によって、グラフィックストリームはグラフィックデコーダ３０２によってそれぞれデコードされる。Ｂｌｕ−ｒａｙ機器３００は、ビデオデコーダ３０１によってデコードされたビデオストリームとグラフィックデコーダ３０２によってデコードされたグラフィックストリームとをブレンド部３０３によって合成し、ブレンド部３０３による合成により得られる２Ｋ＿ＳＤＲの映像信号をＨＤＭＩ１．４とＨＤＣＰ１．４とを使用して２Ｋ＿ＳＤＲ対応ＴＶに送信する。
【０２６５】
［２］Ｂｌｕ−ｒａｙ機器３００に、２Ｋ＿ＨＤＲ対応ＴＶが接続されているときには、Ｂｌｕ−ｒａｙ機器３００は、デュアルストリームディスクから２Ｋ＿ＨＤＲストリームを取り出す。取り出された２Ｋ＿ＨＤＲストリームのうち、ビデオストリームはビデオデコーダ３０１によって、グラフィックストリームはグラフィックデコーダ３０２によってそれぞれデコードされる。Ｂｌｕ−ｒａｙ機器３００は、ビデオデコーダ３０１によってデコードされたビデオストリームとグラフィックデコーダ３０２によってデコードされたグラフィックストリームとをブレンド部３０３によって合成し、ブレンド部３０３による合成により得られる２Ｋ＿ＨＤＲの映像信号をＨＤＭＩ２．１とＨＤＣＰ２．２とを使用して２Ｋ＿ＨＤＲ対応ＴＶに送信する。
【０２６６】
［３］Ｂｌｕ−ｒａｙ機器３００に、４Ｋ＿ＳＤＲ対応ＴＶが接続されているときには、Ｂｌｕ−ｒａｙ機器３００は、デュアルストリームディスクから２Ｋ＿ＳＤＲストリームを取り出す。取り出された２Ｋ＿ＳＤＲストリームのうち、ビデオストリームはビデオデコーダ３０１によって、グラフィックストリームはグラフィックデコーダ３０２によってそれぞれデコードされる。Ｂｌｕ−ｒａｙ機器３００は、ビデオデコーダ３０１によってデコードされたビデオストリームとグラフィックデコーダ３０２によってデコードされたグラフィックストリームとをブレンド部３０３によって合成し、ブレンド部３０３による合成により得られる２Ｋ＿ＳＤＲの映像信号を２Ｋ／４Ｋ変換部３０４によってアップコンバートすることで４Ｋ＿ＳＤＲの映像信号を生成し、生成した４Ｋ＿ＳＤＲの映像信号をＨＤＭＩ２．０とＨＤＣＰ２．２とを使用して４Ｋ＿ＳＤＲ対応ＴＶに送信する。
【０２６７】
［４］Ｂｌｕ−ｒａｙ機器３００に、２Ｋ＿ＨＤＲ対応ＴＶが接続されているときには、Ｂｌｕ−ｒａｙ機器３００は、デュアルストリームディスクから２Ｋ＿ＨＤＲストリームを取り出す。取り出された２Ｋ＿ＨＤＲストリームのうち、ビデオストリームはビデオデコーダ３０１によって、グラフィックストリームはグラフィックデコーダ３０２によってそれぞれデコードされる。Ｂｌｕ−ｒａｙ機器３００は、ビデオデコーダ３０１によってデコードされたビデオストリームとグラフィックデコーダ３０２によってデコードされたグラフィックストリームとをブレンド部３０３によって合成し、ブレンド部３０３による合成により得られる２Ｋ＿ＨＤＲの映像信号を２Ｋ／４Ｋ変換部３０４によってアップコンバートすることで４Ｋ＿ＨＤＲの映像信号を生成し、生成した４Ｋ＿ＨＤＲの映像信号をＨＤＭＩ２．１とＨＤＣＰ２．２とを使用して４Ｋ＿ＨＤＲ対応ＴＶに送信する。
【０２６８】
以上説明したように、ビデオデコーダ３０１及びグラフィックデコーダ３０２は、デュアルストリームディスク（記録媒体）に記録された同一のコンテンツを再生するための複数の映像信号であって、解像度及び輝度範囲の少なくとも一方が異なる複数の映像信号から、一つの映像信号を表示装置の種別に応じて選択し、記録媒体から選択された映像信号を取得する第二取得部として機能する。
【０２６９】
また、ビデオデコーダ３０１及びグラフィックデコーダ３０２は、取得された映像信号をデコードするデコーダとして機能する。図３２中のＨＤＭＩ２．１／ＨＤＣＰ２．２の処理ブロック、ＨＤＭＩ２．０／ＨＤＣＰ２．２の処理ブロック、及び、ＨＤＭＩ１．４／ＨＤＣＰ１．４の各処理ブロックは、デコードされた映像信号を、選択されたバージョンのＨＤＣＰを用いて暗号化し、かつ、選択されたバーションのＨＤＭＩを用いて表示装置に出力する出力部として機能する。以下の処理例６、処理例７、処理例１０、及び、処理例１１においても同様である。
【０２７０】
［３−５−６．処理例６］
図３３は、４Ｋ＿ＨＤＲストリームと４Ｋ＿ＳＤＲストリームとが記録されたデュアルストリームディスクを、Ｂｌｕ−ｒａｙ機器３００で再生する場合の具体的な処理内容を示す図である。なお、ここでの４Ｋ＿ＨＤＲストリームには、４Ｋ＿ＨＤＲビデオストリームと、２Ｋ＿ＨＤＲグラフィックストリームとが含まれる。４Ｋ＿ＳＤＲストリームには、４Ｋ＿ＳＤＲビデオストリームと、２Ｋ＿ＳＤＲグラフィックストリームとが含まれる。
【０２７１】
Ｂｌｕ−ｒａｙ機器３００は、当該Ｂｌｕ−ｒａｙ機器３００に接続される表示装置に応じて、デュアルストリームディスクから取り出すストリームを選択し、下記のような処理を実行する。
【０２７２】
［１］Ｂｌｕ−ｒａｙ機器３００に、２Ｋ＿ＳＤＲ対応ＴＶが接続されているときには、Ｂｌｕ−ｒａｙ機器３００は、デュアルストリームディスクから４Ｋ＿ＳＤＲストリームを取り出す。取り出された４Ｋ＿ＳＤＲストリームのうちのビデオストリームはビデオデコーダ３０１によってデコードされる。取り出された４Ｋ＿ＳＤＲストリームのうちのグラフィックストリームはグラフィックデコーダ３０２によってデコードされ、かつ、２Ｋ／４Ｋ変換部３０６によってアップコンバートされる。Ｂｌｕ−ｒａｙ機器３００は、ビデオデコーダ３０１によってデコードされたビデオストリームと２Ｋ／４Ｋ変換部３０６によってアップコンバートされたグラフィックストリームとをブレンド部３０３によって合成し、ブレンド部３０３による合成により得られる４Ｋ＿ＳＤＲの映像信号を４Ｋ／２Ｋ変換部３０７によってダウンコンバートする。Ｂｌｕ−ｒａｙ機器３００は、４Ｋ／２Ｋ変換部３０７によるダウンコンバートにより得られる２Ｋ＿ＳＤＲの映像信号をＨＤＭＩ１．４とＨＤＣＰ１．４とを使用して２Ｋ＿ＳＤＲ対応ＴＶに送信する。
【０２７３】
［２］Ｂｌｕ−ｒａｙ機器３００に、２Ｋ＿ＨＤＲ対応ＴＶが接続されているときには、Ｂｌｕ−ｒａｙ機器３００は、デュアルストリームディスクから４Ｋ＿ＨＤＲストリームを取り出す。取り出された４Ｋ＿ＨＤＲストリームのうちのビデオストリームはビデオデコーダ３０１によってデコードされる。取り出された４Ｋ＿ＨＤＲストリームのうちのグラフィックストリームはグラフィックデコーダ３０２によってデコードされ、かつ、２Ｋ／４Ｋ変換部３０６によってアップコンバートされる。Ｂｌｕ−ｒａｙ機器３００は、ビデオデコーダ３０１によってデコードされたビデオストリームと２Ｋ／４Ｋ変換部３０６によってアップコンバートされたグラフィックストリームとをブレンド部３０３によって合成し、ブレンド部３０３による合成により得られる４Ｋ＿ＨＤＲの映像信号を４Ｋ／２Ｋ変換部３０７によってダウンコンバートする。Ｂｌｕ−ｒａｙ機器３００は、４Ｋ／２Ｋ変換部３０７によるダウンコンバートにより得られる２Ｋ＿ＨＤＲの映像信号をＨＤＭＩ２．１とＨＤＣＰ２．２とを使用して２Ｋ＿ＨＤＲ対応ＴＶに送信する。
【０２７４】
［３］Ｂｌｕ−ｒａｙ機器３００に、４Ｋ＿ＳＤＲ対応ＴＶが接続されているときには、Ｂｌｕ−ｒａｙ機器３００は、デュアルストリームディスクから４Ｋ＿ＳＤＲストリームを取り出す。取り出された４Ｋ＿ＳＤＲストリームのうちのビデオストリームはビデオデコーダ３０１によってデコードされる。取り出された４Ｋ＿ＳＤＲストリームのうちのグラフィックストリームはグラフィックデコーダ３０２によってデコードされ、かつ、２Ｋ／４Ｋ変換部３０６によってアップコンバートされる。Ｂｌｕ−ｒａｙ機器３００は、ビデオデコーダ３０１によってデコードされたビデオストリームと２Ｋ／４Ｋ変換部３０６によってアップコンバートされたグラフィックストリームとをブレンド部３０３によって合成し、ブレンド部３０３による合成により得られる４Ｋ＿ＳＤＲの映像信号をＨＤＭＩ２．０とＨＤＣＰ２．２とを使用して４Ｋ＿ＳＤＲ対応ＴＶに送信する。
【０２７５】
［４］Ｂｌｕ−ｒａｙ機器３００に、４Ｋ＿ＨＤＲ対応ＴＶが接続されているときには、Ｂｌｕ−ｒａｙ機器３００は、デュアルストリームディスクから４Ｋ＿ＨＤＲストリームを取り出す。取り出された４Ｋ＿ＨＤＲストリームのうちのビデオストリームはビデオデコーダ３０１によってデコードされる。取り出された４Ｋ＿ＨＤＲストリームのうちのグラフィックストリームはグラフィックデコーダ３０２によってデコードされ、かつ、２Ｋ／４Ｋ変換部３０６によってアップコンバートされる。Ｂｌｕ−ｒａｙ機器３００は、ビデオデコーダ３０１によってデコードされたビデオストリームと２Ｋ／４Ｋ変換部３０６によってアップコンバートされたグラフィックストリームとをブレンド部３０３によって合成し、ブレンド部３０３による合成により得られる４Ｋ＿ＨＤＲの映像信号をＨＤＭＩ２．１とＨＤＣＰ２．２とを使用して４Ｋ＿ＨＤＲ対応ＴＶに送信する。
【０２７６】
［３−５−７．処理例７］
図３４は、４Ｋ＿ＨＤＲストリームと２Ｋ＿ＳＤＲストリームとが記録されたデュアルストリームディスクを、Ｂｌｕ−ｒａｙ機器３００で再生する場合の具体的な処理内容を示す図である。なお、ここでの４Ｋ＿ＨＤＲストリームには、４Ｋ＿ＨＤＲビデオストリームと、２Ｋ＿ＨＤＲグラフィックストリームとが含まれる。２Ｋ＿ＳＤＲストリームには、２Ｋ＿ＳＤＲビデオストリームと、２Ｋ＿ＳＤＲグラフィックストリームとが含まれる。
【０２７７】
Ｂｌｕ−ｒａｙ機器３００は、当該Ｂｌｕ−ｒａｙ機器３００に接続される表示装置に応じて、デュアルストリームディスクから取り出すストリームを選択し、下記のような処理を実行する。
【０２７８】
［１］Ｂｌｕ−ｒａｙ機器３００に、２Ｋ＿ＳＤＲ対応ＴＶが接続されているときには、Ｂｌｕ−ｒａｙ機器３００は、デュアルストリームディスクから２Ｋ＿ＳＤＲストリームを取り出す。取り出された２Ｋ＿ＳＤＲストリームのうち、ビデオストリームはビデオデコーダ３０１によって、グラフィックストリームはグラフィックデコーダ３０２によってそれぞれデコードされる。Ｂｌｕ−ｒａｙ機器３００は、ビデオデコーダ３０１によってデコードされたビデオストリームとグラフィックデコーダ３０２によってデコードされたグラフィックストリームとをブレンド部３０３によって合成し、ブレンド部３０３による合成により得られる２Ｋ＿ＳＤＲの映像信号をＨＤＭＩ１．４とＨＤＣＰ１．４とを使用して２Ｋ＿ＳＤＲ対応ＴＶに送信する。
【０２７９】
［２］Ｂｌｕ−ｒａｙ機器３００に、２Ｋ＿ＨＤＲ対応ＴＶが接続されているときには、Ｂｌｕ−ｒａｙ機器３００は、デュアルストリームディスクから４Ｋ＿ＨＤＲストリームを取り出す。取り出された４Ｋ＿ＨＤＲストリームのうちのビデオストリームはビデオデコーダ３０１によってデコードされる。取り出された４Ｋ＿ＨＤＲストリームのうちのグラフィックストリームはグラフィックデコーダ３０２によってデコードされ、かつ、２Ｋ／４Ｋ変換部３０６によってアップコンバートされる。Ｂｌｕ−ｒａｙ機器３００は、ビデオデコーダ３０１によってデコードされたビデオストリームと２Ｋ／４Ｋ変換部３０６によってアップコンバートされたグラフィックストリームとをブレンド部３０３によって合成し、ブレンド部３０３による合成により得られる４Ｋ＿ＨＤＲの映像信号を４Ｋ／２Ｋ変換部３０７によってダウンコンバートする。Ｂｌｕ−ｒａｙ機器３００は、４Ｋ／２Ｋ変換部３０７によるダウンコンバートにより得られる２Ｋ＿ＨＤＲの映像信号をＨＤＭＩ２．１とＨＤＣＰ２．２とを使用して２Ｋ＿ＨＤＲ対応ＴＶに送信する。
【０２８０】
［３］Ｂｌｕ−ｒａｙ機器３００に、４Ｋ＿ＳＤＲ対応ＴＶが接続されているときには、Ｂｌｕ−ｒａｙ機器３００は、デュアルストリームディスクから２Ｋ＿ＳＤＲストリームを取り出す。取り出された２Ｋ＿ＳＤＲストリームのうち、ビデオストリームはビデオデコーダ３０１によって、グラフィックストリームはグラフィックデコーダ３０２によってそれぞれデコードされる。Ｂｌｕ−ｒａｙ機器３００は、ビデオデコーダ３０１によってデコードされたビデオストリームとグラフィックデコーダ３０２によってデコードされたグラフィックストリームとをブレンド部３０３によって合成し、ブレンド部３０３による合成により得られる２Ｋ＿ＳＤＲの映像信号を２Ｋ／４Ｋ変換部３０４によってアップコンバートすることにより４Ｋ＿ＳＤＲの映像信号を生成し、生成した４Ｋ＿ＳＤＲの映像信号をＨＤＭＩ２．０とＨＤＣＰ２．２とを使用して４Ｋ＿ＳＤＲ対応ＴＶに送信する。
【０２８１】
［４］Ｂｌｕ−ｒａｙ機器３００に、４Ｋ＿ＨＤＲ対応ＴＶが接続されているときには、Ｂｌｕ−ｒａｙ機器３００は、デュアルストリームディスクから４Ｋ＿ＨＤＲストリームを取り出す。取り出された４Ｋ＿ＨＤＲストリームのうちのビデオストリームはビデオデコーダ３０１によってデコードされる。取り出された４Ｋ＿ＨＤＲストリームのうちのグラフィックストリームはグラフィックデコーダ３０２によってデコードされ、かつ、２Ｋ／４Ｋ変換部３０６によってアップコンバートされる。Ｂｌｕ−ｒａｙ機器３００は、ビデオデコーダ３０１によってデコードされたビデオストリームと２Ｋ／４Ｋ変換部３０６によってアップコンバートされたグラフィックストリームとをブレンド部３０３によって合成し、ブレンド部３０３による合成により得られる４Ｋ＿ＨＤＲの映像信号をＨＤＭＩ２．１とＨＤＣＰ２．２とを使用して４Ｋ＿ＨＤＲ対応ＴＶに送信する。
【０２８２】
このような処理例７と、上記の処理例５及び処理例６においては、Ｂｌｕ−ｒａｙ機器３００は、第１輝度範囲の第１映像信号と第２輝度範囲の第２映像信号とがデュアルストリームディスク（記録媒体）に記録されている場合に、表示装置が対応する輝度範囲が第１輝度範囲である場合には、第１輝度範囲を有する映像信号を選択し、表示装置が対応する輝度範囲が第２輝度範囲である場合には、第２輝度範囲を有する映像信号を選択する。これにより、Ｂｌｕ−ｒａｙ機器３００内での処理が簡素化される。
【０２８３】
［３−５−８．処理例８］
Ｂｌｕ−ｒａｙ機器は、接続された表示装置のピーク輝度を取得し、実施の形態１で説明したような疑似ＨＤＲ変換を行う機能を有してもよい。以下の処理例８〜１１においては、このような機能が追加されたＢｌｕ−ｒａｙ機器３００ａの処理内容について説明する。なお、以下の処理例８〜１１で説明されるＢｌｕ−ｒａｙ機器３００ａは、表示装置のピーク輝度を、例えば、当該Ｂｌｕ−ｒａｙ機器３００ａと表示装置とを接続するＨＤＭＩケーブルを通じて表示装置から取得する。また、ピーク輝度は、実施の形態１で説明したディスプレイ特性情報に含まれてもよい。
【０２８４】
図３５は、２Ｋ＿ＨＤＲストリームが記録されたＢＤを、疑似ＨＤＲ変換機能を有するＢｌｕ−ｒａｙ機器３００ａで再生する場合の具体的な処理内容を示す図である。なお、Ｂｌｕ−ｒａｙ機器３００ａに２Ｋ＿ＨＤＲ対応ＴＶが接続されているときの処理内容、及び、Ｂｌｕ−ｒａｙ機器３００ａに４Ｋ＿ＨＤＲ対応ＴＶが接続されているときの処理内容は、図２９で説明した処理内容と同様であるため説明が省略される。
【０２８５】
Ｂｌｕ−ｒａｙ機器３００ａに２Ｋ＿ＳＤＲ対応ＴＶが接続されているとき、及び、Ｂｌｕ−ｒａｙ機器３００ａに４Ｋ＿ＳＤＲ対応ＴＶが接続されているときには、ユーザは、ＳＤＲにおいて輝度表現された従来のＢＤと同様の映像を見ることも、疑似ＨＤＲ変換されたＨＤＲ的な映像を楽しむことも可能になる。以下では、疑似ＨＤＲ変換が行われる場合の処理内容について説明する。
【０２８６】
図２９に示されるように、まず、ビデオストリームはビデオデコーダ３０１で、グラフィックストリームはグラフィックデコーダ３０２でそれぞれ再生（デコード）される。
【０２８７】
次に、デコードされたビデオストリームと、デコードされたグラフィックストリームとの２つのデータがブレンド部３０３によって合成される。
【０２８８】
［１］Ｂｌｕ−ｒａｙ機器３００ａに、２Ｋ＿ＳＤＲ対応ＴＶが接続されているときには、Ｂｌｕ−ｒａｙ機器３００ａは、ブレンド部３０３による合成により得られる２Ｋ＿ＨＤＲの映像信号を、ＨＤＲ／ＳＤＲ変換部３０５によって２Ｋ＿ＳＤＲの映像信号に変換するか、疑似ＨＤＲ変換部３０８によって疑似ＨＤＲ変換するかを、ユーザの指定に応じて決定する。そして、Ｂｌｕ−ｒａｙ機器３００ａは、ＨＤＲ／ＳＤＲ変換部３０５による変換及び疑似ＨＤＲ変換部３０８による変換のいずれかの変換により得られる２Ｋ＿ＳＤＲの映像信号を、ＨＤＭＩ１．４とＨＤＣＰ１．４とを使用して２Ｋ＿ＳＤＲ対応ＴＶに送信する。
【０２８９】
［２］Ｂｌｕ−ｒａｙ機器３００ａに、４Ｋ＿ＳＤＲ対応ＴＶが接続されているときには、Ｂｌｕ−ｒａｙ機器３００ａは、ブレンド部３０３による合成により得られる２Ｋ＿ＨＤＲの映像信号を、ＨＤＲ／ＳＤＲ変換部３０５によって２Ｋ＿ＳＤＲの映像信号に変換するか、疑似ＨＤＲ変換部３０８によって疑似ＨＤＲ変換するかを、ユーザの指定に応じて決定する。そして、Ｂｌｕ−ｒａｙ機器３００ａは、変換により得られる２Ｋ＿ＳＤＲの映像信号を２Ｋ／４Ｋ変換部３０４によってアップコンバートし、２Ｋ／４Ｋ変換部３０４によるアップコンバートにより得られる４Ｋ＿ＳＤＲの映像信号をＨＤＭＩ２．０とＨＤＣＰ２．２を使用して４Ｋ＿ＳＤＲ対応ＴＶに送信する。
【０２９０】
［３−５−９．処理例９］
図３６は、４Ｋ＿ＳＤＲストリーム（４Ｋ＿ＳＤＲビデオストリーム及び２Ｋ＿ＳＤＲグラフィックストリーム）が記録されたＢＤを、疑似ＨＤＲ変換機能を有するＢｌｕ−ｒａｙ機器３００ａで再生する場合の具体的な処理内容を示す図である。なお、Ｂｌｕ−ｒａｙ機器３００ａに２Ｋ＿ＨＤＲ対応ＴＶが接続されているときの処理内容、及び、Ｂｌｕ−ｒａｙ機器３００ａに４Ｋ＿ＨＤＲ対応ＴＶが接続されているときの処理内容は、図３１で説明した処理内容と同様であるため説明が省略される。
【０２９１】
図３６に示されるように、まず、ビデオストリームは、ビデオデコーダ３０１でデコードされる。一方、グラフィックストリームは、グラフィックデコーダ３０２でデコードされた上で２Ｋ／４Ｋ変換部３０６によってアップコンバートされる。
【０２９２】
次に、ビデオデコーダ３０１によってデコードされたビデオストリームと、グラフィックデコーダ３０２によってデコードされたグラフィックストリームとの２つのデータがブレンド部３０３によって合成される。
【０２９３】
［１］Ｂｌｕ−ｒａｙ機器３００ａに、２Ｋ＿ＳＤＲ対応ＴＶが接続されているときには、Ｂｌｕ−ｒａｙ機器３００ａは、ブレンド部３０３による合成により得られる４Ｋ＿ＨＤＲの映像信号を、ＨＤＲ／ＳＤＲ変換部３０５によって４Ｋ＿ＳＤＲの映像信号に変換するか、疑似ＨＤＲ変換部３０８によって疑似ＨＤＲ変換するかを、ユーザの指定に応じて決定する。そして、Ｂｌｕ−ｒａｙ機器３００ａは、ＨＤＲ／ＳＤＲ変換部３０５による変換及び疑似ＨＤＲ変換部３０８による変換のいずれかの変換により得られる４Ｋ＿ＳＤＲの映像信号を４Ｋ／２Ｋ変換部３０７によりダウンコンバートし、４Ｋ／２Ｋ変換部３０７によるダウンコンバートにより得られる２Ｋ＿ＳＤＲの映像信号をＨＤＭＩ１．４とＨＤＣＰ１．４とを使用して２Ｋ＿ＳＤＲ対応ＴＶに送信する。
【０２９４】
［２］Ｂｌｕ−ｒａｙ機器３００ａに、４Ｋ＿ＳＤＲ対応ＴＶが接続されているときには、Ｂｌｕ−ｒａｙ機器３００ａは、ブレンド部３０３による合成により得られる４Ｋ＿ＨＤＲの映像信号を、ＨＤＲ／ＳＤＲ変換部３０５によって４Ｋ＿ＳＤＲの映像信号に変換するか、疑似ＨＤＲ変換部３０８によって疑似ＨＤＲ変換するかを、ユーザの指定に応じて決定する。そして、Ｂｌｕ−ｒａｙ機器３００ａは、ＨＤＲ／ＳＤＲ変換部３０５による変換及び疑似ＨＤＲ変換部３０８による変換のいずれかの変換により得られる４Ｋ＿ＳＤＲの映像信号を、ＨＤＭＩ２．０とＨＤＣＰ２．２を使用して４Ｋ＿ＳＤＲ対応ＴＶに送信する。
【０２９５】
［３−５−１０．処理例１０］
図３７は、２Ｋ＿ＨＤＲストリームと２Ｋ＿ＳＤＲストリームとが記録されたデュアルストリームディスクを、疑似ＨＤＲ変換機能を有するＢｌｕ−ｒａｙ機器３００ａで再生する場合の具体的な処理内容を示す図である。なお、Ｂｌｕ−ｒａｙ機器３００ａに２Ｋ＿ＨＤＲ対応ＴＶが接続されているときの処理内容、及び、Ｂｌｕ−ｒａｙ機器３００ａに４Ｋ＿ＨＤＲ対応ＴＶが接続されているときの処理内容は、図３２で説明した処理内容と同様であるため説明が省略される。
【０２９６】
［１］Ｂｌｕ−ｒａｙ機器３００ａに２Ｋ＿ＳＤＲ対応ＴＶが接続されているときに、ユーザがＳＤＲにおいて輝度表現された従来ＢＤと同等の映像を得たいと選択した場合、Ｂｌｕ−ｒａｙ機器３００ａは、デュアルストリームディスクから２Ｋ＿ＳＤＲストリームを取り出す。取り出された２Ｋ＿ＳＤＲストリームのうち、ビデオストリームはビデオデコーダ３０１によって、グラフィックストリームはグラフィックデコーダ３０２によってそれぞれデコードされる。Ｂｌｕ−ｒａｙ機器３００ａは、ビデオデコーダ３０１によってデコードされたビデオストリームとグラフィックデコーダ３０２によってデコードされたグラフィックストリームとをブレンド部３０３によって合成し、ブレンド部３０３による合成により得られる２Ｋ＿ＳＤＲの映像信号をＨＤＭＩ１．４とＨＤＣＰ１．４とを使用して２Ｋ＿ＳＤＲ対応ＴＶに送信する。
【０２９７】
一方、Ｂｌｕ−ｒａｙ機器３００ａに２Ｋ＿ＳＤＲ対応ＴＶが接続されているときに、ユーザがＨＤＲ的な映像を得たいと選択した場合、Ｂｌｕ−ｒａｙ機器３００ａは、デュアルストリームディスクから２Ｋ＿ＨＤＲストリームを取り出す。取り出された２Ｋ＿ＨＤＲストリームのうち、ビデオストリームはビデオデコーダ３０１によって、グラフィックストリームはグラフィックデコーダ３０２によってそれぞれデコードされる。Ｂｌｕ−ｒａｙ機器３００ａは、ビデオデコーダ３０１によってデコードされたビデオストリームとグラフィックデコーダ３０２によってデコードされたグラフィックストリームとをブレンド部３０３によって合成し、ブレンド部３０３による合成により得られる２Ｋ＿ＨＤＲの映像信号を疑似ＨＤＲ変換部３０８によって疑似ＨＤＲ変換する。そして、Ｂｌｕ−ｒａｙ機器３００ａは、疑似ＨＤＲ変換部３０８による疑似ＨＤＲ変換により得られる２Ｋ＿ＳＤＲの映像信号を、ＨＤＭＩ１．４とＨＤＣＰ１．４とを使用して２Ｋ＿ＳＤＲ対応ＴＶに送信する。
【０２９８】
［２］Ｂｌｕ−ｒａｙ機器３００ａに４Ｋ＿ＳＤＲ対応ＴＶが接続されているときに、ユーザがＳＤＲにおいて輝度表現された従来ＢＤと同等の映像を得たいと選択した場合、Ｂｌｕ−ｒａｙ機器３００ａは、デュアルストリームディスクから２Ｋ＿ＳＤＲストリームを取り出す。取り出された２Ｋ＿ＳＤＲストリームのうち、ビデオストリームはビデオデコーダ３０１によって、グラフィックストリームはグラフィックデコーダ３０２によってそれぞれデコードされる。Ｂｌｕ−ｒａｙ機器３００ａは、ビデオデコーダ３０１によってデコードされたビデオストリームとグラフィックデコーダ３０２によってデコードされたグラフィックストリームとをブレンド部３０３によって合成し、ブレンド部３０３による合成により得られる２Ｋ＿ＳＤＲの映像信号を２Ｋ／４Ｋ変換部３０４によってアップコンバートし、２Ｋ／４Ｋ変換部３０４によるアップコンバートにより得られる４Ｋ＿ＳＤＲの映像信号をＨＤＭＩ２．０とＨＤＣＰ２．２とを使用して４Ｋ＿ＳＤＲ対応ＴＶに送信する。
【０２９９】
一方、Ｂｌｕ−ｒａｙ機器３００ａに４Ｋ＿ＳＤＲ対応ＴＶが接続されているときに、ユーザがＨＤＲ的な映像を得たいと選択した場合、Ｂｌｕ−ｒａｙ機器３００ａは、デュアルストリームディスクから２Ｋ＿ＨＤＲストリームを取り出す。取り出された２Ｋ＿ＨＤＲストリームのうち、ビデオストリームはビデオデコーダ３０１によって、グラフィックストリームはグラフィックデコーダ３０２によってそれぞれデコードされる。Ｂｌｕ−ｒａｙ機器３００ａは、ビデオデコーダ３０１によってデコードされたビデオストリームとグラフィックデコーダ３０２によってデコードされたグラフィックストリームとをブレンド部３０３によって合成し、ブレンド部３０３による合成により得られる２Ｋ＿ＨＤＲの映像信号を疑似ＨＤＲ変換部３０８によって疑似ＨＤＲ変換する。そして、Ｂｌｕ−ｒａｙ機器３００ａは、疑似ＨＤＲ変換部３０８によって疑似ＨＤＲ変換された２Ｋ＿ＳＤＲの映像信号を、２Ｋ／４Ｋ変換部３０４によってアップコンバートし、２Ｋ／４Ｋ変換部３０４によるアップコンバートにより得られる４Ｋ＿ＳＤＲの映像信号をＨＤＭＩ２．０とＨＤＣＰ２．２とを使用して２Ｋ＿ＳＤＲ対応ＴＶに送信する。
【０３００】
［３−５−１１．処理例１１］
図３８は、４Ｋ＿ＨＤＲストリームと２Ｋ＿ＳＤＲストリームとが記録されたデュアルストリームディスクを、疑似ＨＤＲ変換機能を有するＢｌｕ−ｒａｙ機器３００ａで再生する場合の具体的な処理内容を示す図である。なお、ここでの４Ｋ＿ＨＤＲストリームには、４Ｋ＿ＨＤＲビデオストリームと、２Ｋ＿ＨＤＲグラフィックストリームとが含まれる。４Ｋ＿ＳＤＲストリームには、４Ｋ＿ＳＤＲビデオストリームと、２Ｋ＿ＳＤＲグラフィックストリームとが含まれる。
【０３０１】
また、Ｂｌｕ−ｒａｙ機器３００ａに２Ｋ＿ＨＤＲ対応ＴＶが接続されているときの処理内容、及び、Ｂｌｕ−ｒａｙ機器３００ａに４Ｋ＿ＨＤＲ対応ＴＶが接続されているときの処理内容は、図３４で説明した処理内容と同様であるため説明が省略される。
【０３０２】
［１］Ｂｌｕ−ｒａｙ機器３００ａに２Ｋ＿ＳＤＲ対応ＴＶが接続されているときに、ユーザがＳＤＲにおいて輝度表現された従来ＢＤと同等の映像を得たいと選択した場合、Ｂｌｕ−ｒａｙ機器３００ａは、デュアルストリームディスクから２Ｋ＿ＳＤＲストリームを取り出す。取り出された２Ｋ＿ＳＤＲストリームのうち、ビデオストリームはビデオデコーダ３０１によって、グラフィックストリームはグラフィックデコーダ３０２によってそれぞれデコードされる。Ｂｌｕ−ｒａｙ機器３００ａは、ビデオデコーダ３０１によってデコードされたビデオストリームとグラフィックデコーダ３０２によってデコードされたグラフィックストリームとをブレンド部３０３によって合成し、ブレンド部３０３による合成により得られる２Ｋ＿ＳＤＲの映像信号をＨＤＭＩ１．４とＨＤＣＰ１．４とを使用して２Ｋ＿ＳＤＲ対応ＴＶに送信する。
【０３０３】
一方、Ｂｌｕ−ｒａｙ機器３００ａに２Ｋ＿ＳＤＲ対応ＴＶが接続されているときに、ユーザがＨＤＲ的な映像を得たいと選択した場合、Ｂｌｕ−ｒａｙ機器３００ａは、デュアルストリームディスクから４Ｋ＿ＨＤＲストリームを取り出す。取り出された４Ｋ＿ＨＤＲストリームのうちのビデオストリームはビデオデコーダ３０１によってデコードされる。取り出された４Ｋ＿ＨＤＲストリームのうちのグラフィックストリームはグラフィックデコーダ３０２によってデコードされ、かつ、２Ｋ／４Ｋ変換部３０６によってアップコンバートされる。Ｂｌｕ−ｒａｙ機器３００ａは、ビデオデコーダ３０１によってデコードされたビデオストリームと２Ｋ／４Ｋ変換部３０６によってアップコンバートされたグラフィックストリームとをブレンド部３０３によって合成し、ブレンド部３０３による合成により得られる４Ｋ＿ＨＤＲの映像信号を疑似ＨＤＲ変換部３０８により疑似ＨＤＲ変換し、かつ、４Ｋ／２Ｋ変換部３０７によりダウンコンバートする。そして、Ｂｌｕ−ｒａｙ機器３００ａは、疑似ＨＤＲ変換部３０８による疑似ＨＤＲ変換および４Ｋ／２Ｋ変換部３０７によるダウンコンバートにより得られる２Ｋ＿ＳＤＲの映像信号を、ＨＤＭＩ１．４とＨＤＣＰ１．４とを使用して２Ｋ＿ＳＤＲ対応ＴＶに送信する。
【０３０４】
［２］Ｂｌｕ−ｒａｙ機器３００ａに４Ｋ＿ＳＤＲ対応ＴＶが接続されているときに、ユーザがＳＤＲにおいて輝度表現された従来ＢＤと同等の映像を得たいと選択した場合、Ｂｌｕ−ｒａｙ機器３００ａは、デュアルストリームディスクから２Ｋ＿ＳＤＲストリームを取り出す。取り出された２Ｋ＿ＳＤＲストリームのうち、ビデオストリームはビデオデコーダ３０１によって、グラフィックストリームはグラフィックデコーダ３０２によってそれぞれデコードされる。Ｂｌｕ−ｒａｙ機器３００ａは、ビデオデコーダ３０１によってデコードされたビデオストリームとグラフィックデコーダ３０２によってデコードされたグラフィックストリームとをブレンド部３０３によって合成し、ブレンド部３０３による合成により得られる２Ｋ＿ＳＤＲの映像信号を２Ｋ／４Ｋ変換部３０４によってアップコンバートし、２Ｋ／４Ｋ変換部３０４によるアップコンバートにより得られる４Ｋ＿ＳＤＲの映像信号をＨＤＭＩ２．０とＨＤＣＰ２．２とを使用して４Ｋ＿ＳＤＲ対応ＴＶに送信する。
【０３０５】
一方、Ｂｌｕ−ｒａｙ機器３００ａに４Ｋ＿ＳＤＲ対応ＴＶが接続されているときに、ユーザがＨＤＲ的な映像を得たいと選択した場合、Ｂｌｕ−ｒａｙ機器３００ａは、デュアルストリームディスクから４Ｋ＿ＨＤＲストリームを取り出す。取り出された４Ｋ＿ＨＤＲストリームのうちのビデオストリームはビデオデコーダ３０１によってデコードされる。取り出された４Ｋ＿ＨＤＲストリームのうちのグラフィックストリームはグラフィックデコーダ３０２によってデコードされ、かつ、２Ｋ／４Ｋ変換部３０６によってアップコンバートされる。Ｂｌｕ−ｒａｙ機器３００ａは、ビデオデコーダ３０１によってデコードされたビデオストリームと２Ｋ／４Ｋ変換部３０６によってアップコンバートされたグラフィックストリームとをブレンド部３０３によって合成し、ブレンド部３０３による合成により得られる４Ｋ＿ＨＤＲの映像信号を疑似ＨＤＲ変換部３０８により疑似ＨＤＲ変換する。そして、Ｂｌｕ−ｒａｙ機器３００ａは、疑似ＨＤＲ変換部３０８による疑似ＨＤＲ変換により得られる４Ｋ＿ＳＤＲの映像信号を、ＨＤＭＩ２．０とＨＤＣＰ２．２とを使用して４Ｋ＿ＳＤＲ対応ＴＶに送信する。
【０３０６】
［３−６．グラフィックストリームの詳細］
以下、グラフィックストリームについて補足する。図３９は、グラフィックストリームの詳細構成を示す図である。
【０３０７】
ＳＤＲのグラフィックストリームとＨＤＲのグラフィックストリームとは、グラフィックストリームの基本スペックは同一であるが、ＨＤＲのグラフィックストリームにおいては、Ｊａｖａ（登録商標、以下同様）の色空間（４Ｋ用のＢＴ  ２０２０）、ＥＯＴＦ（ＨＤＲ用のＥＯＴＦ）等の制約がある。このため、Ｊａｖａ描画コマンド４００をそのまま使うことができない。
【０３０８】
つまり、４Ｋ＿ＳＤＲ対応ＢＤ、２Ｋ＿ＨＤＲ対応ＢＤ、及び、４Ｋ＿ＨＤＲ対応ＢＤにおいては、Ｊａｖａ描画コマンド４００を抑止する必要がある。
【０３０９】
なお、色及び輝度の値の指定において、ＥＯＴＦ変換（ＳＤＲ−＞ＨＤＲ）、カラー空間（ＢＴ７０９−＞ＢＴ２０２０）変換等の結果を想定した値を指定することにより、Ｊａｖａ描画コマンド４００を利用することも可能である。
【０３１０】
［３−７．実施の形態３のまとめ］
４Ｋ対応ＢＤまたはＨＤＲ対応ＢＤを再生するＢｌｕ−ｒａｙ機器は、２Ｋ＿ＳＤＲ対応ＴＶ、２Ｋ＿ＨＤＲ対応ＴＶ、４Ｋ＿ＳＤＲ対応ＴＶ、及び、４Ｋ＿ＨＤＲ対応ＴＶの４つのＴＶに対応する必要がある。具体的には、Ｂｌｕ−ｒａｙ機器は、３組のＨＤＭＩ／ＨＤＣＰ規格（ＨＤＭＩ１．４／ＨＤＣＰ１．４、ＨＤＭＩ２．０／ＨＤＣＰ２．１、ＨＤＭＩ２．１／ＨＤＣＰ２．２）をサポートする必要がある。
【０３１１】
さらに、Ｂｌｕ−ｒａｙ機器は、４種類のＢｌｕ−ｒａｙディスク（２Ｋ＿ＳＤＲ対応ＢＤ、２Ｋ＿ＨＤＲ対応ＢＤ、４Ｋ＿ＳＤＲ対応ＢＤ、及び、４Ｋ＿ＨＤＲ対応ＢＤ）の再生を行う場合、そのＢＤ（コンテンツ）毎、及び、接続されている表示装置（ＴＶ）毎に、適切な処理とＨＤＭＩ／ＨＤＣＰとを選択する必要がある。さらに、ビデオにグラフィックを合成する場合も、ＢＤの種類と接続されている表示装置（ＴＶ）の種類により、処理を変える必要がある。
【０３１２】
このため、Ｂｌｕ−ｒａｙ機器の内部処理が非常に複雑になる。上記実施の形態３においては、Ｂｌｕ−ｒａｙ機器内部処理を比較的簡単にするための各種手法を提供した。
【０３１３】
［１］ＨＤＲ非対応のＴＶにＨＤＲ信号を表示する場合は、ＨＤＲからＳＤＲへの変換が必要になる。これに対し、上記実施の形態３では、この変換をＢｌｕ−ｒａｙ機器においてオプション化するために、デュアルストリームディスク（Ｄｕａｌ  Ｓｔｒｅａｍｓ  Ｄｉｓｃ）というＢＤの構成を提案した。
【０３１４】
［２］また、上記実施の形態３では、グラフィックストリームに制限を加え、ビデオストリームとグラフィックストリームとの組み合わせの種類を減らした。
【０３１５】
［３］上記実施の形態３では、デュアルストリームディスクと、グラフィックストリームの制限とにより、Ｂｌｕ−ｒａｙ機器内での複雑な処理の組み合わせ数を大幅に減らしている。
【０３１６】
［４］上記実施の形態３では、疑似ＨＤＲ変換を導入した場合でも、デュアルストリームディスクの処理に対して矛盾が生じない、内部処理及びＨＤＭＩ処理を提示した。
【０３１７】
（全体のまとめ）
以上、本開示の一つまたは複数の態様に係る再生方法および再生装置について、実施の形態に基づいて説明したが、本開示は、この実施の形態に限定されるものではない。本開示の趣旨を逸脱しない限り、当業者が思いつく各種変形を本実施の形態に施したもの、異なる実施の形態における構成要素を組み合わせて構築される形態なども、本開示の一つまたは複数の態様の範囲内に含まれてもよい。
【０３１８】
例えば、上記各実施の形態において、各構成要素は、回路などの専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【産業上の利用可能性】
【０３１９】
本開示は、表示装置に適切に映像を表示させることができる再生方法及び再生装置などとして有用である。
【符号の説明】
【０３２０】
１００  変換装置
１０１  ＥＯＴＦ変換部
１０２  輝度変換部
１０３  逆輝度変換部
１０４  逆ＳＤＲのＥＯＴＦ変換部
２００  表示装置
２０１  表示設定部
２０２  ＳＤＲのＥＯＴＦ変換部
２０３  輝度変換部
２０４  表示部
３００，３００ａ  Ｂｌｕ−ｒａｙ機器
３０１  ビデオデコーダ
３０２  グラフィックデコーダ
３０３  ブレンド部
３０４  ２Ｋ／４Ｋ変換部
３０５  ＨＤＲ／ＳＤＲ変換部
３０６  ２Ｋ／４Ｋ変換部
３０７  ４Ｋ／２Ｋ変換部
３０８  疑似ＨＤＲ変換部
４００  Ｊａｖａ描画コマンド
【要約】
本開示の一態様に係る再生方法は、表示装置に接続されるＢｌｕ−ｒａｙ機器が実行する再生方法であって、Ｂｌｕ−ｒａｙ機器に接続された表示装置の種別を取得する第一取得ステップと、記録媒体に記録された映像信号を取得する第二取得ステップと、取得された表示装置の種別に応じて、ＨＤＭＩのバージョン、及び、ＨＤＣＰのバージョンのそれぞれを選択する選択し、取得された映像信号を、選択されたバージョンのＨＤＣＰを用いて暗号化し、かつ、選択されたバージョンのＨＤＭＩを用いて表示装置に出力する出力ステップとを含む。【図１】
0005914901.tif 000002
【図８Ａ】
0005914901.tif 000003
【図８Ｂ】
0005914901.tif 000004
【図９】
0005914901.tif 000005
【図１０Ａ】
0005914901.tif 000006
【図１０Ｂ】
0005914901.tif 000007
【図１０Ｃ】
0005914901.tif 000008
【図１１】
0005914901.tif 000009
【図１２】
0005914901.tif 000010
【図１３Ａ】
0005914901.tif 000011
【図１３Ｂ】
0005914901.tif 000012
【図１４】
0005914901.tif 000013
【図１５】
0005914901.tif 000014
【図１６】
0005914901.tif 000015
【図１８】
0005914901.tif 000016
【図１９】
0005914901.tif 000017
【図２０】
0005914901.tif 000018
【図２１】
0005914901.tif 000019
【図２２】
0005914901.tif 000020
【図２３】
0005914901.tif 000021
【図２４】
0005914901.tif 000022
【図２５】
0005914901.tif 000023
【図２６】
0005914901.tif 000024
【図２７】
0005914901.tif 000025
【図２８】
0005914901.tif 000026
【図２９】
0005914901.tif 000027
【図３０】
0005914901.tif 000028
【図３１】
0005914901.tif 000029
【図３２】
0005914901.tif 000030
【図３３】
0005914901.tif 000031
【図３４】
0005914901.tif 000032
【図３５】
0005914901.tif 000033
【図３６】
0005914901.tif 000034
【図３７】
0005914901.tif 000035
【図３８】
0005914901.tif 000036
【図３９】
0005914901.tif 000037
【図２】
0005914901.tif 000038
【図３】
0005914901.tif 000039
【図４Ａ】
0005914901.tif 000040
【図４Ｂ】
0005914901.tif 000041
【図５】
0005914901.tif 000042
【図６Ａ】
0005914901.tif 000043
【図６Ｂ】
0005914901.tif 000044
【図７】
0005914901.tif 000045
【図１７】
0005914901.tif 000046